【手続補正書】
【提出日】平成19年7月31日(2007.7.31)
【手続補正１】
【補正対象書類名】明細書
【補正対象項目名】全文
【補正方法】変更
【補正の内容】
【書類名】      明細書
【発明の名称】  情報処理装置用の認証情報入力手段付き拡張装置及び情報処理装置
【特許請求の範囲】
【請求項１】  情報処理装置の収容部に取り付けられる構造を有し、
ハウジングと、
認証情報を入力する入力部と前記入力部を覆うシャッターとを有する認証情報入力手段と、
前記認証情報入力手段を前記ハウジング内部に収容された状態から認証情報が入力可能とされるように前記ハウジング外に出るように移動させる移動手段とを有する構成としたことを特徴とする拡張装置。
【請求項２】  前記認証情報入力手段は、生体情報を入力する生体情報入力手段であることを特徴とする請求項１記載の拡張装置。
【請求項３】  前記生体情報は、指紋の特徴であることを特徴とする請求項２記載の拡張装置。
【請求項４】  前記認証情報入力手段は、前記移動手段より取外し可能な構成である認証情報入力ユニットであることを特徴とする請求項１乃至３のいずれか１項に記載の拡張装置。
【請求項５】  前記認証情報入力ユニットは、前記移動手段より取り外された状態でケーブルにより情報処理装置と接続される構成としたことを特徴とする請求項４記載の拡張装置。
【請求項６】  前記認証情報入力ユニットは、情報処理装置の左側に取付けられる拡張装置に取付けられる場合に使用される左側配置用コネクタと、情報処理装置の右側に取付けられる拡張装置に取付けられる場合に使用される右側配置用コネクタとを有する請求項４または５記載の拡張装置。
【請求項７】  前記認証情報入力ユニットは、情報処理装置の前側に取り付けられる拡張装置に取り付けられる場合に使用される前側配置用コネクタを有する請求項４乃至６のいずれか１項に記載の拡張装置。
【請求項８】  前記認証情報入力手段は、先端にコネクタを有するケーブルが延びており、前記移動手段より取外し可能な構成である認証情報入力ユニットであり、
該認証情報入力ユニットは、該移動手段上に配されている場合には、前記ケーブルによって拡張装置のコネクタに接続可能であり、前記移動手段より取外した状態では、該ケーブルにより情報処理装置と接続可能であることを特徴とする請求項４乃至７のいずれか１項に記載の拡張装置。
【請求項９】  前記移動手段を外に突き出るように動作させる操作手段を有し、
該操作手段は、前記移動手段を前記認証情報入力ユニットが前記情報処理装置の外に出て認証情報を入力可能状態とされる位置まで外に出させる動作と、前記移動手段を外に出させて前記認証情報入力ユニットの全体が前記情報処理装置の外に出る位置まで外に出させる動作とを行ないうる構成としたことを特徴とする請求項４乃至８のいずれか１項に記載の拡張装置。
【請求項１０】  情報処理装置において、
筺体と、
認証情報を入力する入力部と前記入力部を覆うシャッターとを有する認証情報入力手段と、
前記筺体に設けられた、前記認証情報入力手段を収容する収容部と、前記認証情報入力手段が前記収容部に収容された状態と、前記認証情報入力手段が前記収容部から外に出た状態の間において前記認証情報入力手段を移動させる移動手段とを有する情報処理装置。
【請求項１１】  前記認証情報入力手段は、生体情報を入力する生体情報入力手段であることを特徴とする請求項１０記載の情報処理装置。
【請求項１２】  前記生体情報は、指紋の特徴であることを特徴とする請求項１１記載の情報処理装置。
【請求項１３】  前記認証情報入力手段は、前記移動手段より取外し可能な構成である認証情報入力ユニットであることを特徴とする請求項１０乃至１２のいずれか１項に記載の情報処理装置。
【発明の詳細な説明】
【０００１】
【発明の属する技術分野】
【０００２】
本発明は情報処理装置又は電子装置用のセキュリティ機能又は認証情報入力機能を有する拡張装置に関する。
【０００３】
近年の情報の電子化とオープンネットワークの進展により、情報インフラの整備が実現し、企業内のネットワーク化やインターネットが浸透してきている。これに伴って、ノート型パーソナルコンピュータ、ラップトップコンピュータ、携帯端末等の携帯型情報処理装置、及びデスクトップパーソナルコンピュータ等の据え置き型情報処理装置を使用する機会が多くなってきている。これに伴って、情報処理装置内の情報が他人に漏れてしまうことが起きないようにするセキュリティが重要となってきている。
【０００４】
従来は情報処理装置を使用する人が情報処理装置の所有者又は使用者（本人）であることを確認するために、パスワード、ＩＤや暗証番号を使用していた。しかし、パスワード、ＩＤや暗証番号を記憶しておくこと、パスワード、ＩＤや暗証番号をキー入力すること等が本人にとって重荷となっている。また、パスワード、ＩＤや暗証番号は他人に漏れる虞もある。
【０００５】
そこで、このパスワード、ＩＤや暗証番号に代わるものとして、本人しか持ちえない生体情報（Biometrics) の一つである指紋等を利用して本人であることを確認する装置が使用されている。
【従来の技術】
【０００６】
図１（Ａ）は富士通電装株式会社が先に製品化しているカード型指紋認証装置１であり、図１（Ｂ）はカード型指紋認証装置１がノート型パーソナルコンピュータ１０（又は、携帯型情報処理装置、以下、ノート型パーソナルコンピュータと称する）に取付けられている状態を示す。
【０００７】
カード型指紋認証装置１は、指紋を読み取る指紋認証装置本体２と、これより延びているＰＣＭＣＩＡ（Personal Computer Memory Card International
Association) カード３とよりなる構成である。このカード型指紋認証装置１は、図１（Ｂ）に示すように、ノート型パーソナルコンピュータ１０の側面のＰＣＭＣＩＡカードスロット１１にＰＣＭＣＩＡカード３を挿入した状態で使用され、指紋認証装置本体２はノート型パーソナルコンピュータ１０の側面から外側に突き出ている。
【発明が解決しようとする課題】
【０００８】
指紋認証装置本体２はノート型パーソナルコンピュータ１０の側面から外側に突き出て邪魔となるため、ノート型パーソナルコンピュータ１０を事務所の外に持ち出して持ち運ぶときには、カード型指紋認証装置１はノート型パーソナルコンピュータ１０より抜いてノート型パーソナルコンピュータ１０とは別に持ち運ぶ必要があり、不便であった。
【０００９】
そこで、本発明は、上記課題を解決して携帯性の向上を図った情報処理装置用の認証情報入力機能又はセキュリティ機能を有する拡張装置を提供することを目的とする。
【課題を解決するための手段】
【００１０】
請求項１の発明は、情報処理装置の収容部に取り付けられる構造を有し、ハウジングと、認証情報を入力する入力部と前記入力部を覆うシャッターとを有する認証情報入力手段と、前記認証情報入力手段を前記ハウジング内部に収容された状態から認証情報が入力可能とされるように前記ハウジング外に出るように移動させる移動手段とを有する構成としたことを特徴とする拡張装置である。
【００１１】
拡張装置が、情報処理装置の収容部（一例として、拡張ベイ）に取り付けられることによって、情報処理装置と一体的に持ち運ばれ、携帯性が良い。また、使用時には、移動手段によって認証情報入力手段が外に突き出て認証情報入力可能状態とされるため、入力状態を簡単に形作ることが出来、使い勝手が良い。また、認証情報入力手段を使用しない場合は、認証情報入力手段を内部に収容された状態にできるので、情報処理装置の持ち運び時などは、認証情報入力装置を内部に収容して持ち運べるので、持ち運びが容易となる。従って、情報処理装置が、携帯型である場合はより効果的である。又、情報処理装置の収容部（一例として、拡張ベイ）が、着脱可能に複数種類の拡張装置を選択的に取り付けられる場合は、認証情報入力手段を択一的に取り付けることが可能となり、情報処理装置の小型化と拡張性を満たすことができる。認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００１２】
請求項２の発明は、請求項１の発明において、前記認証情報入力手段が、生体情報を入力する生体情報入力手段であることを特徴とする。
【００１３】
生体情報は、音声（声紋）、網膜パターン、筆跡、顔の画像などがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、第三者が認証情報の盗難や模倣を行うのは極めて困難であり、セキリティを高めることができる。
【００１４】
請求項３の発明は、請求項２の発明において、前記生体情報が、指紋の特徴であることを特徴とする。指紋は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００１５】
請求項４の発明は、請求項１乃至３のいずれか１項に記載の発明において、前記認証情報入力手段は、上記移動手段より取外し可能な構成である認証情報入力ユニットであることを特徴とする。前記認証情報入力手段は、移動手段より取り外しても使用可能とすることができる。
【００１６】
請求項５の発明は、請求項４に記載の発明において、認証情報入力ユニットは、上記移動手段より取り外された状態でケーブルにより情報処理装置と接続される構成としたことを特徴とする。ケーブルは、情報処理装置と認証情報入力ユニットを電気的、電子的又は光学的等で、データの送信が可能な態様で接続する。認証情報入力ユニットは移動手段より取外した状態でケーブルでつないで使用可能であるため、情報処理装置を自分の机等の上で使用する場合に、使用を開始する都度いちいち認証情報入力手段を情報処理装置より突き出させる操作を行なう必要がなく、使い勝手が良い。
【００１７】
請求項６の発明は、請求項４又は請求項５に記載の発明において、前記認証情報入力ユニットが、情報処理装置の左側に取付けられる拡張装置に取付けられる場合に使用される左側配置用コネクタと、情報処理装置の右側に取付けられる拡張装置に取付けられる場合に使用される右側配置用コネクタとを有する構成である。この構成であるため、将来に情報処理装置の右側に取付けられる拡張装置が出現した場合にも、認証情報入力ユニットは適用可能である。
【００１８】
請求項７の発明は、請求項４乃至請求項６のいずれか１項に記載の発明において、情報処理装置の前側に取り付けられる拡張装置に取り付けられる場合に使用される前側配置用コネクタを有する構成である。この構成であるため、情報処理装置の前側に取り付けられる拡張装置にも、認証情報入力ユニットは、使用可能である。
【００１９】
請求項８の発明は、請求項４乃至請求項７のいずれか１項に記載の発明において、認証情報入力手段が、先端にコネクタを有するケーブルが延びており、上記移動手段より取外し可能な構成である認証情報入力ユニットであり、該認証情報入力ユニットは、該移動手段上に配されている場合には、上記ケーブルによって拡張装置のコネクタに接続可能であり、前記移動手段より取外した状態では、該ケーブルにより情報処理装置と接続可能である構成である。このため、認証情報入力ユニットは移動手段より取外した状態でケーブルでつないで使用可能であるため、情報処理装置を自分の机等の上で使用する場合に、使用を開始する都度いちいち認証情報入力ユニットを突き出させる操作を行なう必要がなく、使い勝手が良い。又、認証情報入力ユニットよりケーブルが延びているため、備品としてのケーブルを保管しておくことが不要となり、便利である。
【００２０】
請求項９の発明は、請求項４乃至請求項８のいずれか１項に記載の発明において、前記認証情報入力手段は、上記移動手段より取外し可能な認証情報入力ユニットであり、前記移動手段を外に突き出るように動作させる操作手段を有し、該操作手段は、前記移動手段を前記認証情報入力ユニットが前記情報処理装置の外に出て認証情報を入力可能状態とされる位置まで外に出させる動作と、前記移動手段を外に出させて前記認証情報入力ユニットの全体が前記情報処理装置の外に出る位置まで外に出させる動作とを行ないうるものである。操作手段を操作することによって、認証情報入力ユニットの全体が情報処理装置の外に出た状態とされるため、認証情報入力ユニットを移動手段より取り外す作業が簡単に行なわれる。
【００２１】
請求項１０の発明は、情報処理装置において、筐体と、認証情報を入力する入力部と前記入力部を覆うシャッターとを有する認証情報入力手段と、前記筐体に設けられた、前記認証情報入力手段を収容する収容部と、前記認証情報入力手段が前記収容部に収容された状態と、前記認証情報入力手段が前記収容部から外に出た状態の間において前記認証情報入力手段を移動させる移動手段とを有する構成としたものである。本発明は移動手段により、情報処理装置の収容部に認証情報入力手段を収容できる。従って、情報処理装置の持ち運び時などは、認証情報入力装置を内部に収容して持ち運べるので、持ち運びが容易となる。認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像等を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００２２】
請求項１１の発明は、請求項１０の発明において、前記認証情報入力手段が、生体情報を入力する生体情報入力手段である構成としたものである。生体情報は、音声（声紋）、網膜パターン、筆跡、顔の画像などがあり、これらを採用することが可能である。この場合は、入力手段として、前述の音声（声紋）入力手段、網膜パターン入力手段、筆跡入力手段（一例として、ペン入力装置やタッチパッドなど）、顔の画像等を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【００２３】
請求項１２の発明は、請求項１１の発明において、前記生体情報が、指紋の特徴であることを特徴とする。指紋は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００２４】
請求項１３の発明は、請求項１０乃至１２のいずれか１項に記載の発明において、前記認証情報入力手段は、上記移動手段より取外し可能な構成である認証情報入力ユニットであることを特徴とする。前記認証情報入力手段は、移動手段より取り外しても使用可能とすることができる。
【００２５】
更に、後述する付記１乃至５３に記載する発明を開示する。
【００２６】
付記１の発明は、情報処理装置の拡張ベイに取り付けられる構造を有し、且つ、認証情報入力手段を有することを特徴とする拡張装置である。
拡張装置が、情報処理装置の拡張ベイに取り付けられることによって、情報処理装置と一体的に持ち運ぶことが可能となり、携帯性が良い。又、情報処理装置より外に突き出さない構成とすれば、更に携帯性が良くなる。特に情報処理装置が携帯型である場合に効果を有する。又、情報処理装置の拡張ベイが、着脱可能に複数種類の拡張装置から選択的に取り付けられる場合は、認証情報入力手段を択一的に取り付けることが可能となり、情報処理装置の小型化と拡張性を満たすことができる。前記認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００２７】
付記２の発明は、前記認証情報入力手段が、好ましくは、生体情報を入力する生体情報入力手段であることを特徴とするものである。前述した通り、生体情報は、音声（声紋）、網膜パターン、筆跡、顔の画像などなどがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難である。即ち、ＩＤカード等の場合は盗難、暗証番号の場合は漏洩により、第三者による模倣が可能だからである。本発明の如く、生体情報を用いれば、セキリティを高めることができる。又、拡張装置に生体情報入力手段を設ける構成により、拡張ベイをもつ情報処理装置のセキュリティ度を高めることも可能となる。
【００２８】
付記３の発明は、前記付記１の発明において、前記認証情報入力手段が、好ましくはＩＤカード読み取り手段であることを特徴とする。拡張装置に、ＩＤカード読み取り手段が取り付けられることによって、ＩＤカード読み取り手段を情報処理装置と一体的に持ち運ぶことが可能となる。又、情報処理装置より外に突き出していることもなく、携帯性がよくなる。
【００２９】
付記４の発明は、前記付記１の発明において、前記認証情報入力手段が、好ましくは、暗証番号入力手段であることを特徴とする。情報処理装置の拡張ベイに取り付けられることによって、情報処理装置と一体的に持ち運ぶことができる。又、情報処理装置より外に突き出さない構成とすれば、携帯性が良い。特に情報処理装置が携帯型である場合により効果的である。
【００３０】
付記５の発明は、前記付記１の発明において、前記生体情報が、好ましくは、指紋、網膜パターン、音声、筆跡又は顔の特徴であることを特徴とする。これらの生体情報は、使用者に固有であり、盗難、漏洩が困難であり、第三者による模倣が極めて難しいので、セキリティを高めることができる。又、これらの情報を情報処理装置に入力するに際しては、ユーザは、カードのような特別なものを有する必要はなく、又、暗証番号などを記憶する必要もないので、ユーザにとっては、簡易に入力することができる。
【００３１】
付記６の発明は、前記付記１乃至４の発明において、前記認証情報入力手段が、好ましくは、拡張ベイに取り付けられた状態で露出する側面に位置することを特徴とする。認証情報入力手段が、拡張装置の側面に有するため、拡張ベイに取り付けられた状態で読み取り部への接近が容易であり、使い勝手が良い。又、側面に露出するため、情報処理装置からの突出を設ける必要がなく、使い勝手が良くなる。
付記７の発明は、前記付記１乃至６のいずれかの発明において、好ましくは、前記認証情報入力手段から入力された認証情報と登録されている認証情報と照合する認証機能を有することを特徴とする。この構成により、拡張装置内で認証を行うことができる。
【００３２】
付記８の発明は、情報処理装置の収容部に取り付けられる構造を有し、ハウジングと、認証情報を入力する入力部と前記入力部を覆うシャッターとを有する認証情報入力手段と、前記認証情報入力手段を前記ハウジング内部に収容された状態から認証情報が入力可能とされるように前記ハウジング外に出るように移動させる移動手段とを有する構成としたことを特徴とする拡張装置である。収容部の一例として、拡張ベイがある。拡張装置が、情報処理装置の収容部（一例として、拡張ベイ）に取り付けられることによって、情報処理装置と一体的に持ち運ばれ、携帯性が良い。また、使用時には、移動手段によって認証情報入力手段が外に突き出て認証情報入力可能状態とされるため、入力状態を簡単に形作ることが出来、使い勝手が良い。また、認証情報入力手段を使用しない場合は、認証情報入力手段を内部に収容された状態にできるので、情報処理装置の持ち運び時などは、認証情報入力装置を内部に収容して持ち運べるので、持ち運びが容易となる。従って、情報処理装置が、携帯型である場合はより効果的である。又、情報処理装置の収容部（一例として、拡張ベイ）が、着脱可能に複数種類の拡張装置を選択的に取り付けられる場合は、認証情報入力手段を択一的に取り付けることが可能となり、情報処理装置の小型化と拡張性を満たすことができる。認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００３３】
付記９の発明は、前記付記８の発明において、前記認証情報入力手段が、好ましくは生体情報を入力する生体情報入力手段であることを特徴とする。効果は、付記２の部分で説明した通りである。前述した通り、生体情報は、音声（声紋）、網膜パターン、筆跡、顔の画像又は特徴などがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【００３４】
付記１０の発明は、前記付記９の発明において、前記生体情報が、指紋、網膜パターン、音声、筆跡又は顔の特徴であることを特徴とする。これらの生体情報は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００３５】
付記１１の発明は、前記付記８の発明において、前記認証情報入力手段は、上記移動手段より取外し可能な構成である認証情報入力ユニットであることを特徴とする。前記認証情報入力手段は、移動手段より取り外しても使用可能とすることができる。
【００３６】
付記１２の発明は、前記付記１１の発明において、前記認証情報入力ユニットは、上記移動手段より取り外された状態でケーブルにより情報処理装置と接続される構成としたことを特徴とする。ケーブルは、好ましくは、情報処理装置と認証情報入力ユニットを電気的、電子的又は光学的等で、データの送信が可能な態様で接続する。認証情報入力ユニットは移動手段より取外した状態でケーブルでつないで使用可能であるため、情報処理装置を自分の机等の上で使用する場合に、使用を開始する都度いちいち認証情報入力手段を情報処理装置より突き出させる操作を行なう必要がなく、使い勝手が良い。
【００３７】
付記１３の発明は、前記付記１１の発明において、前記認証情報入力ユニットが、好ましくは、情報処理装置の左側に取付けられる拡張装置に取付けられる場合に使用される左側配置用コネクタと、情報処理装置の右側に取付けられる拡張装置に取付けられる場合に使用される右側配置用コネクタとを有する。将来に情報処理装置の右側に取付けられる拡張装置が出現した場合にも、認証情報入力ユニットは適用可能である。
【００３８】
付記１４の発明は、前記認証情報入力ユニットは、付記１１記載の発明において、好ましくは、情報処理装置の前側に取り付けられる拡張装置に取り付けられる場合に使用される前側配置用コネクタを有する。情報処理装置の前側に取り付けられる拡張装置にも、認証情報入力ユニットは、使用可能である。
【００３９】
付記１５の発明は、前記付記１１の発明において、前記認証情報入力手段が、好ましくは先端にコネクタを有するケーブルが延びており、上記移動手段より取外し可能な構成である認証情報入力ユニットである。該認証情報入力ユニットは、該移動手段上に配されている場合には、好ましくは、上記ケーブルによって拡張装置のコネクタに接続可能であり、前記移動手段より取外した状態では、該ケーブルにより情報処理装置と接続可能である。認証情報入力ユニットは移動手段より取外した状態でケーブルでつないで使用可能であるため、情報処理装置を自分の机等の上で使用する場合に、使用を開始する都度いちいち認証情報入力ユニットを突き出させる操作を行なう必要がなく、使い勝手が良い。又、認証情報入力ユニットよりケーブルが延びているため、備品としてのケーブルを保管しておくことが不要となり、便利である。
【００４０】
付記１６の発明は、前記付記１１の拡張装置において、前記認証情報入力手段は、上記移動手段より取外し可能な認証情報入力ユニットであり、前記移動手段を外に突き出るように動作させる操作手段を有し、該操作手段は、前記移動手段を前記認証情報入力ユニットが前記情報処理装置の外に出て認証情報を入力可能状態とされる位置まで外に出させる動作と、前記移動手段を外に出させて前記認証情報入力ユニットの全体が前記情報処理装置の外に出る位置まで外に出させる動作とを行ないうるものである。操作手段を操作することによって、認証情報入力ユニットの全体が情報処理装置の外に出た状態とされるため、認証情報入力ユニットを移動手段より取り外す作業が簡単に行なわれる。
【００４１】
付記１７の発明は、情報処理装置の収容部に取り付けられるための拡張装置であって前記拡張装置内部に収納された状態と前記拡張装置から外に出た状態の間を移動する移動手段を有する拡張装置に着脱可能に搭載可能な認証情報入力ユニットにおいて、認証情報を入力するための認証情報入力手段を有し、前記認証情報入力ユニットが前記移動手段に搭載された場合に、前記移動手段により前記認証情報入力手段を内部に収容された状態から認証情報が入力可能とされるように外に出るように移動可能である、認証情報入力ユニットである。前記収容部の一例として、拡張ベイがある。この認証情報入力ユニットは、前記移動手段から取り外し可能であるので、使用者は取り外して使用可能であるとともに、移動手段により、外に出た状態と内部に収容された状態の態様をとることができ、情報処理装置の持ち運び時などは、認証情報入力装置を内部に収容して持ち運べるので、持ち運びが容易となる。情報処理装置の収容部（一例として、拡張ベイ）が、着脱可能に複数種類の拡張装置を選択的に取り付け可能な場合は、認証情報入力手段を択一的に取り付けることが可能となり、情報処理装置の小型化と拡張性を満たすことができる。認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００４２】
付記１８の発明は、前記付記１７の認証情報入力ユニットにおいて、前記認証情報入力手段が、好ましくは生体情報を入力する生体情報入力手段であるものである。前述した通り、生体情報は、音声（声紋）、網膜パターン、筆跡、顔の画像又は特徴などがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【００４３】
付記１９の発明は、前記付記１８の認証情報入力ユニットにおいて、前記生体情報が、好ましくは、指紋、網膜パターン、音声、筆跡又は顔の特徴であるものである。これらの生体情報は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００４４】
付記２０の発明は、筐体と、認証情報を入力する入力部と前記入力部を覆うシャッターとを有する認証情報入力手段と、前記筐体に設けられた、前記認証情報入力手段を収容する収容部と、前記認証情報入力手段が前記収容部に収容された状態と、前記認証情報入力手段が前記収容部から外に出た状態の間において前記認証情報入力手段を移動させる移動手段とを有する情報処理装置である。本発明は移動手段により、情報処理装置の収容部に認証情報入力手段を収容できる。従って、情報処理装置の持ち運び時などは、認証情報入力装置を内部に収容して持ち運べるので、持ち運びが容易となる。認証情報入力手段は、種種のものを採用でき、指紋読み取り又は入力手段、音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００４５】
付記２１の発明は、前記付記２０の情報処理装置において、前記認証情報入力手段が、好ましくは、生体情報を入力する生体情報入力手段である情報処理装置である。前述した通り、生体情報は、音声（声紋）、網膜パターン、筆跡、顔の画像又は特徴などがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【００４６】
付記２２の発明は、前記付記２１の情報処理装置において、前記生体情報が、好ましくは、指紋、網膜パターン、音声、筆跡又は顔の特徴である情報処理装置である。これらの生体情報は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００４７】
付記２３の発明は、前記付記２０の情報処理装置において、前記認証情報入力手段が、好ましくは、前記移動手段より取外し可能な構成である認証情報入力ユニットであることを特徴とする情報処理装置である。前記認証情報入力手段は、移動手段より取り外しても使用可能とすることができる。
【００４８】
付記２４の発明は、情報処理装置内部に収納された状態と前記情報処理装置から外に出た状態の間を移動する移動手段を有する情報処理装置に着脱可能に搭載可能な認証情報入力ユニットに関する発明である。前記認証情報入力ユニットは、好ましくは認証情報を入力するための認証情報入力手段を有し、前記認証情報入力ユニットが前記移動手段に搭載された場合に、前記移動手段により前記認証情報入力手段を内部に収容された状態から認証情報が入力可能とされるように外に出るように移動可能である認証情報入力ユニットである。この認証情報入力ユニットは、前記移動手段から取り外し可能であるので、使用者は取り外して使用可能であるとともに、移動手段により、外に出た状態と内部に収容された状態の態様をとることができ、情報処理装置の持ち運び時などは、認証情報入力装置を内部に収容して持ち運べるので、持ち運びが容易となる。認証情報入力手段は、前述した通り、種種のものを採用でき、指紋読み取り又は入力手段、音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などの生体情報や、キーを用いたキー入力により個人ＩＤ、暗証番号又はパスワードを入力しても良い。更に、磁気カードやＩＣカード等のＩＤカードを読み取る手段を設けても良い。本発明は、認証情報の種類を問わないものである。
【００４９】
付記２５の発明は、付記２４の認証情報入力ユニットにおいて、前記認証情報入力手段が、好ましくは生体情報を入力する生体情報入力手段である認証情報入力ユニットである。前述した通り、生体情報は、音声（声紋）、網膜パターン、筆跡、顔の画像又は特徴などがあり、これらを採用することが可能である。この場合は、入力手段として、前述の音声（声紋）入力手段、網膜パターン入力手段、筆跡入力手段（一例として、ペン入力装置やタッチパッドなど）、顔の画像又は特徴を入力する手段（ＣＣＤカメラなどで、使用者の顔の画像等を入力する）などを設ければよい。これらの生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【００５０】
付記２６の発明は、付記２５の認証情報入力ユニットにおいて、前記生体情報が、好ましくは指紋、網膜パターン、音声、筆跡又は顔の特徴である認証情報入力ユニットである。これらの生体情報は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【００５１】
付記２７の発明は、付記２４の認証情報入力ユニットにおいて、前記認証情報入力手段が、好ましくは前記移動手段より取外し可能な認証情報入力ユニットである。前記認証情報入力手段は、移動手段より取り外しても使用可能とすることができる。
【００５２】
付記２８の発明は、情報処理装置の拡張ベイに取り付けられる構造を有し、且つ、セキュリティ機能を有する構成としたものである。
【００５３】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【００５４】
付記２９の発明は、情報処理装置の拡張ベイに取り付けられる構造を有し、且つ、指紋読み取り機能を有する構成としたものである。
【００５５】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【００５６】
付記３０の発明は、情報処理装置の拡張ベイに取り付けられる構造を有し、指紋読み取り機能を有する指紋読み取り手段と、該指紋読み取り手段を内部に収容された状態から指紋読み取り可能とされるように外に突き出るように移動させる移動手段とを有する構成としたものである。
【００５７】
情報処理装置の拡張ベイに取り付けられることによって、情報処理装置と一体的に持ち運ばれ、情報処理装置より外に突き出していることもなく、携帯性が良い。また、移動手段によって指紋読み取り手段が外に突き出て指紋読み取り可能状態とされるため、指紋読み取りが行なえる状態を簡単に形作ることが出来、使い勝手が良い。
【００５８】
付記３１の発明は、付記３０の発明において、該指紋読み取り手段は、上記移動手段より取外し可能な構成である指紋読み取りユニットである構成としたものである。
【００５９】
指紋読み取りユニットは、移動手段より取り外しても、使用可能となる。
【００６０】
付記３２の発明は、付記３１の発明において、指紋読み取りユニットは、上記移動手段より取り外された状態でケーブルにより情報処理装置と電気的に接続される構成としたものである。
【００６１】
指紋読み取りユニットはトレイより取外した状態でケーブルでつないで使用可能であるため、情報処理装置を自分の机の上で使用する場合に、使用を開始する都度いちいち指紋読み取り手段を情報処理装置より突き出させる操作を行なう必要がなく、使い勝手が良い。
【００６２】
付記３３の発明は、付記３０の発明において、該指紋読み取りユニットは、下面に、情報処理装置の左側に取付けられる拡張装置に取付けられる場合に使用される左側配置用コネクタと、情報処理装置の右側に取付けられる拡張装置に取付けられる場合に使用される右側配置用コネクタとを有する構成としたものである。
【００６３】
将来に情報処理装置の右側に取付けられる拡張装置が出現した場合にも、指紋読み取りユニットは適用可能である。
【００６４】
付記３４の発明は、付記３０の発明において、該指紋読み取り手段は、先端にコネクタを有するケーブルが延びており、上記移動手段より取外し可能な構成である指紋読み取りユニットであり、該指紋読み取りユニットは、該移動手段上に配されている場合には、上記ケーブルによって拡張装置のコネクタに電気的に接続されており、該移動手段より取外した状態では、該ケーブルにより情報処理装置と接続される構成としたものである。
【００６５】
指紋読み取りユニットは移動手段より取外した状態でケーブルでつないで使用可能であるため、情報処理装置を自分の机の上で使用する場合に、使用を開始する都度いちいち指紋読み取り手段を突き出させる操作を行なう必要がなく、使い勝手が良い。指紋読み取りユニットよりケーブルが延びているため、備品としてのケーブルを保管しておくことが不要となり、便利である。
【００６６】
付記３５の発明は、付記３０の発明において、該指紋読み取り手段は、ハウジングを有し、上記トレイより取外し可能な構成である指紋読み取りユニットであり、上記移動手段を外に突き出るように動作させる操作手段を有し、該操作手段は、上記移動手段を該指紋読み取りユニットが該情報処理装置の外に出て指紋読み取り可能状態とされる位置まで外に突き出させる動作と、上記移動手段を外に突き出させて該指紋読み取りユニットの全体が該情報処理装置の外に出る位置まで外に突き出させる動作とを行ないうる構成としたものである。
【００６７】
操作手段を操作することによって、指紋読み取りユニットの全体が情報処理装置の外に出た状態とされるため、指紋読み取りユニットを移動手段より取り外す作業が簡単に行なわれる。
【００６８】
付記３６の発明は、情報処理装置の拡張ベイに取り付けられる構造を有し、且つ、指紋を読み取って、これを登録されている指紋と照合する指紋認証機能を有する構成としたものである。
【００６９】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【００７０】
付記３７の発明は、情報処理装置の拡張ベイに取り付けられる構造を有し、指紋認証機能を有する指紋認証手段と、該指紋認証手段を内部に収容された状態から指紋認証可能とされるように外に突き出るように移動させる移動手段とを有する構成としたものである。
【００７１】
情報処理装置の拡張ベイに取り付けられることによって、情報処理装置と一体的に持ち運ばれ、情報処理装置より外に突き出していることもなく、携帯性が良い。また、移動手段によって指紋認証手段が移動されて外に突き出て指紋読み取り可能状態とされるため、指紋読み取りが行なえる状態を簡単に形作ることが出来、使い勝手が良い。
【００７２】
付記３８の発明は、付記３７の発明において、該指紋認証段は、上記移動手段より取外し可能な構成である指紋認証ユニットである構成としたものである。
【００７３】
指紋認証ユニットは、移動手段より取り外しても、使用可能となる。
【００７４】
付記３９の発明は、付記３８の発明において、該指紋認証ユニットは、上記移動手段より取り外された状態でケーブルにより情報処理装置と電気的に接続される構成としたものである。
【００７５】
指紋認証ユニットはトレイより取外した状態でケーブルでつないで使用可能であるため、情報処理装置を自分の机の上で使用する場合に、使用を開始する都度いちいち指紋認証を情報処理装置より突き出させる操作を行なう必要がなく、使い勝手が良い。
【００７６】
付記４０の発明は、付記３７の発明において、該指紋認証ユニットは、下面に、情報処理装置の左側に取付けられる拡張装置に取付けられる場合に使用される左側配置用コネクタと、情報処理装置の右側に取付けられる拡張装置に取付けられる場合に使用される右側配置用コネクタとを有する構成としたものである。
【００７７】
将来に情報処理装置の右側に取付けられる拡張装置が出現した場合にも、指紋認証ユニットは適用可能である。
【００７８】
付記４１の発明は、該指紋認証ユニットは、付記３７の発明において、好ましくは下面に、情報処理装置の前側に取り付けられる拡張装置に取り付けられる場合に使用される前側配置用コネクタを有する。情報処理装置の前側に取り付けられる拡張装置にも、指紋認証入力ユニットは、使用可能である。
【００７９】
付記４２の発明は、付記３７の発明において、該指紋認証手段は、先端にコネクタを有するケーブルが延びており、上記移動手段より取外し可能な構成である指紋認証ユニットであり、該指紋認証ユニットは、該移動手段上に配されている場合には、上記ケーブルによって拡張装置のコネクタに電気的に接続されており、該移動手段より取外した状態では、該ケーブルにより情報処理装置と接続される構成としたものである。
【００８０】
指紋認証ユニットは移動手段より取外した状態でケーブルでつないで使用可能であるため、情報処理装置を自分の机の上で使用する場合に、使用を開始する都度いちいち指紋読み取り手段を突き出させる操作を行なう必要がなく、使い勝手が良い。指紋読み取りユニットよりケーブルが延びているため、備品としてのケーブルを保管しておくことが不要となり、便利である。
【００８１】
付記４３の発明は、付記３７の発明において、該指紋認証手段は、上記移動手段より取外し可能な構成である指紋認証ユニットであり、上記移動手段を外に突き出るように動作させる操作手段を有し、該操作手段は、上記移動手段を該指紋認証ユニットが該情報処理装置の外に出て指紋認証可能状態とされる位置まで外に突き出させる動作と、上記移動手段を外に突き出させて該指紋認証ユニットの全体が該情報処理装置の外に出る位置まで外に突き出させる動作とを行ないうる構成としたものである。
【００８２】
操作手段を操作することによって、指紋認証ユニットの全体が情報処理装置の外に出た状態とされるため、指紋認証ユニットを移動手段より取り外す作業が簡単に行なわれる。
【００８３】
付記４４の発明は、略箱形状であり、コネクタを有し、且つ指紋読み取り機能を有する構成としたものである。
【００８４】
拡張装置に取付けられて、又は独立で使用可能である。
【００８５】
付記４５の発明は、略箱形状であり、先端にコネクタを有するケーブルが延びており、且つ指紋読み取り機能を有する構成としたものである。
【００８６】
拡張装置に取付けられて、又は独立で使用可能である。独立で使用する場合にケーブルを用意する必要はない。
【００８７】
付記４６の発明は、略箱形状であり、コネクタを有し、且つ指紋認証機能を有する構成としたものである。
【００８８】
拡張装置に取付けられて、又は独立で使用可能である。
【００８９】
付記４７の発明は、略箱形状であり、先端にコネクタを有するケーブルが延びており、且つ指紋認証機能を有する構成としたものである。
【００９０】
拡張装置に取付けられて、又は独立で使用可能である。独立で使用する場合にケーブルを用意する必要はない。
【００９１】
付記４８の発明は、情報処理装置の拡張ベイに取り付けられる構造を有し、且つ、指紋読み取り機能を有する構成としたものである。
【００９２】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【００９３】
付記４９の発明は、情報処理装置の拡張ベイに取り付けられる構造を有し、且つ、拡張ベイに取り付けられた状態で露出する側面に指紋読み取り機能を有する構成としたものである。
【００９４】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。また、指紋読み取り機能を拡張ベイに取り付けられた状態で露出する側面に有するため、拡張ベイに取り付けられた状態で指紋読み取り機能への接近が容易であり、使い勝手が良い。
【００９５】
付記５０の発明は、情報処理装置の拡張ベイに取り付けられる構造を有し、且つ、ＩＤカード読み取り部を有する構成としたものである。
【００９６】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【００９７】
付記５１の発明は、情報処理装置の拡張ベイに取り付けられる構造を有し、且つ、拡張ベイに取り付けられた状態で露出する側面側に、ＩＤカード読み取り部を有する構成としたものである。
【００９８】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。また、ＩＤカード読み取り部を拡張ベイに取り付けられた状態で露出する側面側に有するため、拡張ベイに取り付けられた状態でＩＤカード読み取り部への接近が容易であり、使い勝手が良い。
【００９９】
付記５２の発明は、情報処理装置の拡張ベイに取り付けられる構造を有し、且つ、暗証番号入力部を有する構成としたものである。
【０１００】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。
【０１０１】
付記５３の発明は、情報処理装置の拡張ベイに取り付けられる構造を有し、且つ、拡張ベイに取り付けられた状態で露出する側面側に暗証番号入力部を有する構成としたものである。
【０１０２】
情報処理装置の拡張ベイに取り付けられることによって、情報処理装置と一体的に持ち運ばれ、情報処理装置より外に突き出していることもなく、携帯性が良い。特に情報処理装置が携帯型である場合に効果を有する。暗証番号入力部が拡張ベイに取り付けられた状態で露出する側面側にあるため、拡張ベイに取り付けられた状態で暗証番号入力部への接近が容易であり、使い勝手が良い。
【発明の実施の形態】
【０１０３】
先ず、本発明の第１実施例になる認証情報入力装置又はセキュリティ機能（例として、拡張指紋読み取り拡張装置５０）と他の拡張装置（フロッピーディスク装置３０等）との関係、及び、拡張指紋読み取り装置５０と情報処理装置としてのノート型パーソナルコンピュータ２０との関係について、概略的に説明する。
【０１０４】
発明の実施の形態では、便宜的にノート型パーソナルコンピュータと称するが、この実施の形態では、携帯端末、携帯型情報処理装置等と称される情報処理装置を含む。また、コンピュータと言う語は、何らかのプロセッサを有する装置、何らかの情報処理を行なうための装置、又は何らかの情報処理に関連する行為（データ記憶、通信）を行なうための装置等を含むことを意味する。
【０１０５】
図２中、ノート型パーソナルコンピュータ２０は、筐体又はハウジングの一例としてのコンピュータ本体２１と、開閉される表示部であるところの液晶表示部２７とよりなる。Ｘ１，Ｘ２はノート型パーソナルコンピュータ２０の幅方向、Ｙ１，Ｙ２は奥行き方向、Ｚ１，Ｚ１は高さ（厚さ）方向である。コンピュータ本体２１は、上面に、入力手段であるところのキーボード部２２を有し、内部にプロセッサ又はＣＰＵ２３が組み込まれており、底面側に収容部としての拡張ベイ２４が形成してある。拡張ベイ２４は、コンピュータ本体２１のうちＸ２方向側半分の部分に形成してあり、コンピュータ本体２１の左側面２５に開口２６を有する。
【０１０６】
このノート型パーソナルコンピュータ２０に関連して、拡張装置として、拡張フロッピーディスク装置３０、拡張ＣＤ−ＲＯＭ装置４０、本発明の第１乃至４実施例になる認証情報入力手段を有する又はセキュリティ機能を有する拡張装置（一例として、拡張指紋読み取り装置５０、５０Ａ，５０Ｂ，５０Ｃ，５０Ｄ）、本発明の第５実施例になる拡張指紋認証装置８０（又は、拡張指紋読み取り装置）、本発明の第６実施例になる拡張ＩＣカード式認証装置９０（又は、拡張ＩＣカード読み取り装置）、本発明の第７実施例になる拡張磁気カード式認証装置１００（又は、拡張磁気カード読み取り装置）、本発明の第８実施例になる拡張暗証番号式認証装置１１０（又は、拡張暗証番号入力装置）が用意されている。
【０１０７】
これらの装置３０、４０、５０、５０Ａ，５０Ｂ，５０Ｃ，５０Ｄ、８０、９０，１００，１１０は、上記開口２６を通って拡張ベイ２４内に挿入されて実装されるような偏平な形状を有し、差し込み方向（Ｘ１）の先端の同じ個所に同じコネクタ３１、４１、５１、８１、９１，１０１，１１１を有する。
【０１０８】
拡張フロッピーディスク装置３０は、内部に、ターンテーブル３２及び磁気ヘッド装置３３等を有し、Ｘ２方向端に挿入口３４を有する構成である。ＣＤ−ＲＯＭ装置４０は、内部に、ターンテーブル４２及び光学ヘッド装置４３が組み込まれている引出しユニット４４が設けてある構成である。
【０１０９】
ノート型パーソナルコンピュータ２０をフロッピーディスク装置を備えた拡張態様とする場合には、拡張フロッピーディスク装置３０を、拡張ベイ２４内に挿入して実装する。フロッピーディスク３５は挿入口３４を通してフロッピーディスク装置３０内に実装される。
【０１１０】
ノート型パーソナルコンピュータ２０を拡張ＣＤ−ＲＯＭ装置を備えた拡張態様とする場合には、拡張ＣＤ−ＲＯＭ装置４０を、拡張ベイ２４内に挿入して実装する。ＣＤ−ＲＯＭ４５は、引出しユニット４４を引き出してターンテーブル４２上に載置し、引出しユニット４４を押し込むことによって、情報が読みだされる。
【０１１１】
他の装置５０、５０Ａ，５０Ｂ，５０Ｃ，５０Ｄ、８０、９０，１００，１１０は、例えばノート型パーソナルコンピュータ２０を事務所の外に持ち出す際に、上記の装置３０、４０と略同様に拡張ベイ２４内に実装されて使用される。
【０１１２】
また、本発明の収容部の一例としての前記拡張ベイ２４は、種々の用語で称されることがあり、ベイ、拡張ベイスロット、マルチベイ、マルチパーパスベイ（多目的ベイ）と称されることもある。
【０１１３】
〔第１実施例〕
次に本発明の第１実施例になる認証情報入力手段を又はセキュリティ機能を有する拡張装置（一例としては、拡張指紋読み取り装置５０）について説明する。
【０１１４】
この拡張指紋読み取り装置５０は、図３、図４、図５に示すように、大略、ハウジング５２と、ハウジング５２上にＸ１，Ｘ２方向に移動可能に設けてあるトレイ５３と、トレイ５３内に納まっている、認証情報入力ユニットの一例である指紋読み取りユニット５４と、周囲をハウジング５２に固定されてトレイ５３を覆うカバー５５とを有する構成である。図３では、認証情報の一例として、生体情報の一つである指紋を用いている。
【０１１５】
ハウジング５２は、略箱形状を有し、背面側にコネクタ５１が取り付けてある。また、ハウジング５２には、操作ボタン機構５２−１、ダンパ５２−２が設けてある。
【０１１６】
トレイ５３は、ハウジング５２上の２本のガイドレール５２−３，５２−４に案内されてＸ１，Ｘ２方向に移動可能であり、ハウジング５２のＸ２方向端より後述するように二段階に突き出す。トレイ５３は、Ｘ２方向端側の部分に、指紋読み取りユニット５４に対応する大きさであり、且つ箱形状である指紋読み取りユニット収容部５３−１を有する。この指紋読み取りユニット収容部５３−１内には、プリント回路基板５３−２上に実装されたコネクタ５３−３が設けてある。このプリント回路基板５３−２とコネクタ５１との間が、余裕をもった長さのフレキシブルケーブル５３−４で接続してある。トレイ５３のＹ２方向端には、Ｚ２方向側にＸ１−Ｘ２方向に延在して、ラック５３−５が形成してある。また、トレイ５３のＹ２方向端のＺ１方向側には、Ｘ１−Ｘ２方向上異なる位置に、第１の係止部５３−６、第２の係止部５３−７、第３の係止部５３−８が形成してある。
【０１１７】
ラック５３−５がダンパ５２−２のギヤ５２−２ａとかみ合っている。
【０１１８】
操作手段の一例である操作ボタン機構５２−１は、第１の係止部５３−６、第２の係止部５３−７、第３の係止部５３−８と選択的を係止し、押す操作をするとそれまで係止していた第１の係止部５３−６等に対する係止が解除される構成である。
【０１１９】
操作ボタン機構５２−１と各係止部５３−６、５３−７、５３−８との位置関係は、第１の係止部５３−６が操作ボタン機構５２−１と係止されたときには、図５に示すように、トレイ５３の全体がハウジング５２内に納まっており、第２の係止部５３−７が操作ボタン機構５２−１と係止されたときには、図１０に示すように、指紋読み取りユニット５４の開口５４−２ａまでの部分がハウジング５２外に突出し、第３の係止部５３−８が操作ボタン機構５２−１と係止されたときには、図１１に示すように、指紋読み取りユニット５４の全体がハウジング５２外に突き出すように定めてある。
【０１２０】
認証情報入力ユニットとしての一例である指紋読み取りユニット５４は、図６（Ａ），（Ｂ）及び図７（Ａ）乃至（Ｃ）に示すように、上ハーフ５４−２と下ハーフ５４−３とを組み合わせてなる小さい箱５４−４の内部に、上面に、認証情報入力手段の一例である静電容量式指紋センサ５４−５が実装してあり、下面に左側配置用コネクタ５４−６、右側配置用コネクタ５４−７、ケーブル接続用５４−８が実装してあるプリント回路基板５４−９が組み込まれている構成である。静電容量式指紋センサ５４−５は、上ハーフ５４−２の開口５４−２ａに対向しており、通常はシャッター５４−１によって覆われており、シャッター５４−１をＹ１方向にスライドさせて開くと露出する。シャッター５４−１は、上ハーフ５４−２の内側に設けてあり、ばね５４−１ａによって自動的に閉じる。
【０１２１】
この静電容量式指紋センサ５４−５は、例えば、Veridicom 社製のFPS100
Solid-State Fingerprint Sensor である。
【０１２２】
また、コネクタ５４−６、５４−７、５４−８は、図７（Ｃ）に示すように、指紋読み取りユニット本体５４の中心Ｏを通ってＹ１−Ｙ２方向に伸びる線５４−９上に位置している。コネクタ５４−６とコネクタ５４−７とは、同じものであり、中心Ｏに関して対称に位置しており、下ハーフ５４−３の底面板部５４−３ａの開口５４−３ｂ，５４−３ｃに露出している。コネクタ５４−８は、指紋読み取りユニット５４の背面５４−１０側に位置しており、下ハーフ５４−３の側面板部５４−３ｄの開口５４−３ｅに露出している。
【０１２３】
拡張指紋読み取り装置５０は、指紋読み取りユニット５４がその左側配置用コネクタ５４−６をコネクタ５３−３に接続されて指紋読み取りユニット収容部５３−１内に収容されており、トレイ５３がＸ１方向に最大に移動されて、指紋読み取りユニット５４が拡張指紋読み取り装置５０の内部に納まっている状態にある。トレイ５３は、延びたコイルばね５４−１１によってＸ２方向に付勢されており、且つ、操作ボタン機構５２−１が第１の係止部５３−６を係止してＸ２方向の移動を制限された状態にある。指紋読み取りユニット５４は、指紋読み取りユニット収容部５３−１より取り出し可能な状態で、収容部５３−１内に収容されている。
【０１２４】
次に、指紋読み取りユニット５４とノート型パーソナルコンピュータ２０との関係について説明する。
【０１２５】
図８に示すように、指紋読み取りユニット５４は、指紋入力部６０を有する。
ノート型パーソナルコンピュータ２０は、制御部６１と、指紋入力部６０から供給された画像のデータより指紋の特徴を抽出する指紋特徴抽出部６２と、本人の左手の人指し指の指紋のデータを登録している指紋登録部６３と、指紋特徴抽出部６２よりの指紋のデータを指紋登録部６３の指紋のデータと照合させる指紋照合部６４とを有する。即ち、指紋読み取りユニット５４は指紋の読み取りだけを行い、ノート型パーソナルコンピュータ２０が本人であるか否かを判断する動作を行なう。
【０１２６】
次に、拡張指紋読み取り装置５０の使用について説明する。
【０１２７】
（１）ノート型パーソナルコンピュータ２０を事務所の外に持ち出す場合  ノート型パーソナルコンピュータ２０を事務所の外に持ち出す際には、拡張指紋読み取り装置５０をコンピュータ本体２１の拡張ベイ２４内に挿入して、コネクタ５１を拡張ベイ２４の奥部のコネクタと接続させて実装する。
【０１２８】
これによって、拡張指紋読み取り装置５０はコンピュータ本体２１の外形内に収まり、指紋読み取りユニット５４はノート型パーソナルコンピュータ２０と一体となる。よって、ノート型パーソナルコンピュータ２０を持ち運べばよく、指紋読み取りユニット５４を別途携帯する必要はない。よって、図１に示す従来のようにカード型指紋認証装置１をノート型パーソナルコンピュータ１０とは別に持ち運ぶ場合に比べて、良好な携帯性を有する。
【０１２９】
なお拡張指紋読み取り装置５０がコンピュータ本体２１の拡張ベイ２４内に実装されていることによって、指紋読み取りユニット５４は、コネクタ５３−３、フレキシブルケーブル５３−４、コネクタ５１を介してコンピュータ本体２１内のＣＰＵ６１と電気的に接続されている。
【０１３０】
（２）事務所の外でノート型パーソナルコンピュータ２０を操作する場合
事務所の外でノート型パーソナルコンピュータ２０を操作する場合には、先ず、操作ボタン機構５２−１を一時的に押す。
【０１３１】
これによって、第１の係止部５３−６に対する係止が解除されて、トレイ５３がコイルばね５４−１１によってＸ２方向に移動して、コンピュータ本体２１の側面より突き出る。トレイ５３は、次の第２の係止部５３−７が操作ボタン機構５２−１に係止されるまで移動されて停止する。これによって、図９及び図１０に示すようになり、指紋読み取りユニット５４は開口５４−２ａが拡張ベイ２４の外に出た状態、即ち、シャッター５４−１を開き得る状態となる。
【０１３２】
次いで、左手の人指し指でシャッター５４−１をＹ１方向に押して、シャッター５４−１をＹ１方向にスライドさせて開くと共に人指し指を静電容量式指紋センサ５４−５の上面に軽く押しつける。
【０１３３】
静電容量式指紋センサ５４−５は人指し指の指紋を読み取る。この読み取られた指紋のデータがコネクタ５３−３、フレキシブルケーブル５３−４、コネクタ５１を介してコンピュータ本体２１に送られ、ここで、指紋の特徴の抽出、抽出された指紋の特徴と登録されている指紋のデータとの照合が行なわれ、本人であるか否かが判断される。
【０１３４】
本人であると判断されると、ノート型パーソナルコンピュータ２０が起動される。本人ではないと判断された場合には、起動操作してもノート型パーソナルコンピュータ２０は起動されない。また、起動はするが、ＯＳが立ち上がらないようにするようにしてもよい。これによって、セキュリティが確保される。
【０１３５】
なお、ノート型パーソナルコンピュータ２０が起動されたのちは、トレイ５３をＸ１方向に押して、指紋読み取りユニット５４をノート型パーソナルコンピュータ２０内に収め、邪魔とならないようにする。
【０１３６】
なお、左手の人指し指でシャッター５４−１を押して開らく操作を行なうときには、指紋読み取りユニット５４のうち開口５４−２ａよりＸ１方向側の部分は、カバー５５で覆われており、指紋読み取りユニット収容部５３−１から抜け出す不都合は起きない。
【０１３７】
（３）事務所内の本人の机の上でノート型パーソナルコンピュータ２０を操作する場合
ノート型パーソナルコンピュータ２０を本人の机の上で使用する場合に、ノート型パーソナルコンピュータ２０を起動させようとする都度に、上記のように指紋読み取りユニット５４を一部突き出させる操作を行なうのは面倒である。そこで、図１２で示すように、指紋読み取りユニット５４を外部に取り出した状態とする。
【０１３８】
拡張指紋読み取り装置５０がノート型パーソナルコンピュータ２０の拡張ベイ２４内に実装されている状態で、又は、拡張指紋読み取り装置５０をノート型パーソナルコンピュータ２０の拡張ベイ２４より引き抜いた状態で、操作ボタン機構５２−１を一度一時的に押し、図９及び図１０に示す状態とし、この後に、操作ボタン機構５２−１を再度一時的に押す。この操作によって、第２の係止部５３−７に対する係止が解除されて、トレイ５３がコイルばね５４−１１によってＸ２方向に更に移動して、コンピュータ本体２１の側面より更に突き出し、次の第３の係止部５３−８が操作ボタン機構５２−１に係止されるまで移動されて停止する。これによって、図１１に示すようになり、指紋読み取りユニット５４の全体が拡張ベイ２４の外に出た状態、即ち、指紋読み取りユニット５４を収容部５３−１より取り外しうる状態となる。
【０１３９】
この状態で、指紋読み取りユニット５４を収容部５３−１より取り外し、トレイ５３はＸ１方向に押してハウジング５２内に収める。なお、指紋読み取りユニット５４をＺ１方向に引き上げる操作をすることによって、コネクタ５４−６がコネクタ５３−３より外されて、指紋読み取りユニット５４が収容部５３−１より取り外される。
【０１４０】
次いで、図１２に示すように、一端に汎用のインタフェースであるＵＳＢ（Universal Serial Bus) コネクタ７０を有し、他端にコネクタ７１を有するコード７２を使用し、コネクタ７１を指紋読み取りユニット５４のコネクタ５４−８に接続し、ＵＳＢコネクタ７０をコンピュータ本体２１の背面側のコネクタに接続する。指紋読み取りユニット５４はこの状態で使用される。
【０１４１】
ここで、指紋読み取りユニット５４の下面に、コネクタ５４−６の他に右側配置用コネクタ５４−７が設けてある理由について説明する。
【０１４２】
この右側配置用コネクタ５４−７は、拡張ベイをコンピュータ本体２１のうちＸ１方向側半分の部分に形成し、ここに、拡張指紋読み取り装置を挿入して実装し、指紋読み取りユニットがコンピュータ本体２１の右側面より突き出すようにした場合にも、上記の指紋読み取りユニット５４が使用出来るようにするためである。この場合には、指紋読み取りユニット５４は右側配置用コネクタ５４−７によって接続される。尚、指紋認証のアルゴリズム自体は公知であり、例えば、特開平１０−３１２４５９号公報に紹介されているものを使用できる。
【０１４３】
以上、第１実施例を説明した。第１実施例では、生体情報の一例としての指紋読み取りにより、認証を行ったが、本発明は指紋読み取りに限られるものではない。生体情報を使用して認証を行う場合は、指紋以外に、音声（声紋）、網膜パターン、筆跡又は顔の特徴を生体情報として入力すればよい。音声を認証情報として使用する場合は、これらの実施形態を採用する場合は、図３乃至図１１の拡張装置５０のユニット５４の指紋センサ５４−５の部分を音声入力手段（一例として、マイクロフォン）に置き換えて実現できる。この場合は、シャッター５４−１は、不要である。図８の指紋入力部６０は、音声入力部となり、音声データが、ノート型パーソナルコンピュータ２０に送信される。図８中、指紋特徴抽出部６２、指紋登録部６３、指紋照合部６４は、それぞれ、声紋特徴抽出部６２、声紋登録部６３、指紋照合部６４に置き換えられる。又、第1実施例では、指紋入力ユニット５４（マイクロフォン）が取り外し可能な構成（図４）、右側配置用コネクタ５４−７、左側配置用コネクタ５４−６を有する構成（図６）、入力ユニット５４（マイクロフォン）の一部が情報処理装置より突き出た状態（図９）と全部が情報処理装置より突き出た状態（図１１）を取りうる構成、入力ユニット５４（マイクロフォン）をケーブルで接続可能な構成（図１２）等、第１実施例の種種の構成を適宜採用しても良い。
【０１４４】
網膜パターンを認証情報として第１実施例に採用する場合は、図３乃至図１１の拡張装置５０のユニット５４の指紋センサ５４−５の部分を網膜パターン入力手段（一例として、ＣＣＤカメラなどの撮像手段）に置き換えて実現できる。この場合は、シャッター５４−１は、必要に応じて設ける。図８の指紋入力部６０は、網膜パターン入力部となり、網膜パターンデータが、ノート型パーソナルコンピュータ２０に送信される。図８中、指紋特徴抽出部６２、指紋登録部６３、指紋照合部６４は、それぞれ、網膜パターン特徴抽出部６２、網膜パターン登録部６３、網膜パターン照合部６４に置き換えられる。又、第1実施例の、入力ユニット５４（ＣＣＤカメラなどの撮像手段）が取り外し可能な構成（図４）、右側配置用コネクタ５４−７、左側配置用コネクタ５４−６を有する構成（図６）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を適宜採用しても良い。
【０１４５】
筆跡を認証情報として第１実施例に採用する場合は、図３乃至図１１の拡張装置５０のユニット５４の指紋センサ５４−５の部分をタッチ入力手段や手書き文字入力手段（デジタイザなどのタッチパネルや、入力タブレット盤又は、それらとペン入力手段やスタイラスとの組み合わせなどで、手書き文字入力手段を構成する）に置き換えて実現できる。この場合は、シャッター５４−１は、適宜採用する。図８の指紋入力部６０は、タッチ入力部や手書き文字入力部となり、手書きパターンが、ノート型パーソナルコンピュータ２０に送信される。図８中、手書きパターン特徴抽出部６２、手書きパターン登録部６３、手書きパターン照合部６４は、それぞれ、手書きパターン特徴抽出部６２、手書きパターン登録部６３、手書きパターン照合部６４に置き換えられる。又、第1実施例の、入力ユニット５４（タッチ入力手段や手書き文字入力手段）が取り外し可能な構成（図４）、右側配置用コネクタ５４−７、左側配置用コネクタ５４−６を有する構成（図６）、入力ユニット５４（タッチ入力手段や手書き文字入力手段）の一部が情報処理装置より突き出た状態（図９）と全部が情報処理装置より突き出た状態（図１１）を取りうる構成、入力ユニット５４（タッチ入力手段や手書き文字入力手段）をケーブルで接続可能な構成（図１２）等、第１実施例の種種の構成を適宜採用しても良い。
【０１４６】
顔の特徴を認証情報として第１実施例に採用する場合は、図３乃至図１１の拡張装置５０のユニット５４の指紋センサ５４−５の部分を撮像手段（一例として、ＣＣＤカメラ）に置き換えて実現できる。この場合は、シャッター５４−１は、必要に応じて設ける。図８の指紋入力部６０は、撮像入力部となり、撮像されたイメージデータが、ノート型パーソナルコンピュータ２０に送信される。図８中、指紋特徴抽出部６２、指紋登録部６３、指紋照合部６４は、それぞれ、顔の特徴抽出部６２、パターン登録部６３、パターン照合部６４に置き換えられる。又、第1実施例の、入力ユニット５４（ＣＣＤカメラなどの撮像手段）が取り外し可能な構成（図４）、右側配置用コネクタ５４−７、左側配置用コネクタ５４−６を有する構成（図６）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を適宜採用しても良い。
【０１４７】
又、本発明は生体情報を認証情報として利用するものに限られない。後述する図２３、図２５、図２７にあるように、ＩＣカードや磁気カードによるＩＤカードによって認証情報を入力しても良いし、ボタンを用いてパスワードやＩＤ番号を入力しても良い。この場合は、図３乃至図５の入力ユニット５４が設けられる部分に、ＩＣカードリーダや磁気カードリーダや、テンキーなどのボタンを設ければ良い。又、これらのリーダやボタンなどを、取り外し可能な入力ユニット５４に配置してもよい。同様に、右側配置用コネクタ５４−７、左側配置用コネクタ５４−６を有する構成（図６）、入力ユニット５４（ＩＣカードリーダや磁気カードリーダやテンキーなどのボタン）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を適宜採用しても良い。
【０１４８】
〔第２実施例〕
図１３は本発明の第２実施例になる認証情報入力手段を又はセキュリティ機能を有する拡張装置（一例としては、拡張指紋読み取り装置５０Ａ）を示す。拡張指紋読み取り装置５０Ａは、構造的には図４の拡張指紋読み取り装置５０と実質的に同じであり、指紋読み取りユニット５４に代えて、認証情報入力ユニットの一例としての指紋読み取りユニット５４Ａを有する。図１３では、認証情報の一例として、生体情報の１つである指紋を用いている。
【０１４９】
図１４を、図８と比較して参照するに、指紋読み取りユニット５４Ａは、指紋入力部６０に加えて指紋特徴抽出部６２を有する。ノート型パーソナルコンピュータ２０Ａは、制御部６１と、指紋登録部６３と、指紋照合部６４とを有する。
【０１５０】
指紋読み取りユニット５４Ａは、指紋の読み取り、読み取った指紋データから指紋の特徴の抽出を行なう。指紋読み取りユニット５４Ａからは指紋特徴データが送り出され、ノート型パーソナルコンピュータ２０Ａが本人であるか否かを判断する動作を行なう。
【０１５１】
〔第３実施例〕
図１５は本発明の第３実施例になる認証情報入力手段を又はセキュリティ機能を有する拡張装置（一例としては、拡張指紋読み取り装置５０Ｂ）を示す。拡張指紋認識装置５０Ｂは、構造的には図４の拡張指紋読み取り装置５０と実質的に同じであり、指紋読み取りユニット５４に代えて、指紋認識ユニット５４Ｂを有する。図１５では、認証情報の一例として生体情報の１つで指紋を用いている。
【０１５２】
図１６を、図８と比較して参照するに、指紋認識装置５４Ｂは、指紋入力部６０に加えて、指紋特徴抽出部６２と、指紋登録部６３と、指紋照合部６４とを有する。指紋認識装置５４Ｂ自体で、指紋の読み取り、読み取った指紋データから指紋の特徴の抽出、抽出された指紋の特徴と登録されている指紋のデータとの照合が行ない、本人であるか否かの判断を行なう。この判断のデータがノート型パーソナルコンピュータ２０Ｂの制御部６１に送られる。
【０１５３】
以上、第２実施例及び第３実施例を説明した。第２実施例及び第３実施例では、生体情報の一例として、指紋読み取りにより、認証を行ったが、本発明は指紋読み取りに限られるものではない。生体情報を使用して認証を行う場合は、指紋以外に、音声（声紋）、網膜パターン、筆跡又は顔の特徴を生体情報として入力すればよい。音声を認証情報として使用する場合は、これらの実施形態を採用する場合は、図１３又は図１５の拡張装置５０Ａ又は５０Ｂのユニット５４Ａ又は５４Ｂの指紋センサ５４Ａ−５又は５４Ｂ−５の部分を音声入力手段（一例として、マイクロフォン）に置き換えて実現できる。この場合は、シャッター５４Ａ−１又は５４Ｂ−１は、不要である。図１４又は１６の指紋入力部６０は、音声入力部となり、音声データが、ノート型パーソナルコンピュータ２０Ａ又は２０Ｂに送信される。図１４又は１６中、指紋特徴抽出部６２、指紋登録部６３、指紋照合部６４は、それぞれ、声紋特徴抽出部６２、声紋登録部６３、指紋照合部６４に置き換えられる。又、第２又は第３大実施例では、指紋入力ユニット５４Ａ又は５４Ｂ（マイクロフォン）が取り外し可能な構成（図４、１３，１５）、右側配置用コネクタ５４−７、左側配置用コネクタ５４−６を有する構成（図６）、入力ユニット５４Ａ又は５４Ｂ（マイクロフォン）の一部が情報処理装置より突き出た状態（図９）と全部が情報処理装置より突き出た状態（図１１）を取りうる構成、入力ユニット５４Ａ又は５４Ｂ（マイクロフォン）をケーブルで接続可能な構成（図１２）等、第１実施例の種種の構成を適宜採用しても良い。
【０１５４】
網膜パターンを認証情報として第２、第３実施例に採用する場合は、図１３又は図１５の拡張装置５０Ａ又は５０Ｂのユニット５４Ａ又は５４Ｂの指紋センサ５４Ａ−５又は５４Ｂ−５の部分を網膜パターン入力手段（一例として、ＣＣＤカメラなどの撮像手段）に置き換えて実現できる。この場合は、シャッター５４Ａ−１又は５４Ｂ−１は、必要に応じて設ける。図８の指紋入力部６０は、網膜パターン入力部となり、網膜パターンデータが、ノート型パーソナルコンピュータ２０に送信される。図１４又は１６中、指紋特徴抽出部６２、指紋登録部６３、指紋照合部６４は、それぞれ、網膜パターン特徴抽出部６２、網膜パターン登録部６３、網膜パターン照合部６４に置き換えられる。又、第1実施例の、入力ユニット５４Ａ又は５４Ｂ（ＣＣＤカメラなどの撮像手段）が取り外し可能な構成（図４、１３、１５）、右側配置用コネクタ５４−７、左側配置用コネクタ５４−６を有する構成（図６）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を第２、第３実施例に適宜採用しても良い。
【０１５５】
筆跡を認証情報として第２、第３実施例に採用する場合は、図１３又は図１５の拡張装置５０Ａ又は５０Ｂのユニット５４Ａ又はＢの指紋センサ５４Ａ−５又は５４Ｂ−５の部分をタッチ入力手段や手書き文字入力手段（デジタイザなどのタッチパネルや、入力タブレット盤又は、それらとペン入力手段やスタイラスとの組み合わせなどで、手書き文字入力手段を構成する）に置き換えて実現できる。この場合は、シャッター５４Ａ−１又は５４Ｂ−１は、適宜採用する。図１４又は図１６の指紋入力部６０は、タッチ入力部や手書き文字入力部となり、手書きパターンが、ノート型パーソナルコンピュータ２０Ａ又は２０Ｂに送信される。図１４又は１６中、手書きパターン特徴抽出部６２、手書きパターン登録部６３、手書きパターン照合部６４は、それぞれ、手書きパターン特徴抽出部６２、手書きパターン登録部６３、手書きパターン照合部６４に置き換えられる。又、第２実施例又は第３実施例の、入力ユニット５４Ａ又は５４Ｂ（タッチ入力手段や手書き文字入力手段）が取り外し可能な構成（図４）、右側配置用コネクタ５４−７、左側配置用コネクタ５４−６を有する構成（図６）、入力ユニット５４（タッチ入力手段や手書き文字入力手段）の一部が情報処理装置より突き出た状態（図９）と全部が情報処理装置より突き出た状態（図１１）を取りうる構成、入力ユニット５４（タッチ入力手段や手書き文字入力手段）をケーブルで接続可能な構成（図１２）等、第１実施例の種種の構成を第２、第３実施例に適宜採用しても良い。
【０１５６】
顔の特徴を認証情報として第２、第３実施例に採用する場合は、図１３又は図１５の拡張装置５０Ａ又は５０Ｂのユニット５４Ａ又は５４Ｂの指紋センサ５４Ａ−５又は５４Ｂ−Ｃの部分を撮像手段（一例として、ＣＣＤカメラ）に置き換えて実現できる。この場合は、シャッター５４Ａ−１又は５４Ｂ−１は、必要に応じて設ける。図１４又は図１６の指紋入力部６０は、撮像入力部となり、撮像されたイメージデータが、ノート型パーソナルコンピュータ２０に送信される。図１４又は図１６中、指紋特徴抽出部６２、指紋登録部６３、指紋照合部６４は、それぞれ、顔の特徴抽出部６２、パターン登録部６３、パターン照合部６４に置き換えられる。又、第１実施例の、入力ユニット５４（ＣＣＤカメラなどの撮像手段）が取り外し可能な構成（図４）、右側配置用コネクタ５４−７、左側配置用コネクタ５４−６を有する構成（図６）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を第２、第３実施例に適宜採用しても良い。
【０１５７】
又、本発明は生体情報を認証情報として利用するものに限られない。後述する図２３、図２５、図２７にあるように、ＩＣカードや磁気カードによるＩＤカードによって認証情報を入力しても良いし、ボタンを用いてパスワードやＩＤ番号を入力しても良い。この場合は、図１３又は図１５５の入力ユニット５４Ａ又は５４Ｂが設けられる部分に、ＩＣカードリーダや磁気カードリーダや、テンキーなどのボタンを設ければ良い。又、これらのリーダやボタンなどを、取り外し可能な入力ユニット５４Ａ又は５４Ｂに配置してもよい。同様に、右側配置用コネクタ５４−７、左側配置用コネクタ５４−６を有する構成（図６）、入力ユニット５４（ＩＣカードリーダや磁気カードリーダやテンキーなどのボタン）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１実施例の種種の構成を第２、第３実施例に適宜採用しても良い。
【０１５８】
〔第４実施例〕
図１７及び図１８は、本発明の第４実施例になる認証情報入力手段を又はセキュリティ機能を有する拡張装置（一例としては、拡張指紋読み取り装置５０Ｃ）を示す。拡張指紋読み取り装置５０Ｃは、構造的には図４の拡張指紋読み取り装置５０と実質的に同じであり、指紋読み取りユニット５４に代えて、認証情報入力ユニットの一例として指紋読み取りユニット５４Ｃを有する。図１７及び図１８中、図４に示す構成部分と対応する部分には、添字「Ｃ」を付した同一符号を付し、その説明は省略する。図１７及び図１８では、認証情報の一例として、生体情報の１つである指紋を用いている。
【０１５９】
指紋読み取りユニット５４Ｃは、図１９（Ａ），（Ｂ）に示すように、側面からケーブル５４Ｃ−９が延びており、このケーブル５４Ｃ−９の先端にＵＳＢコネクタ５４Ｃ−１０を有する構成である。指紋読み取りユニット５４Ｃは、図６（Ｂ）に示されるコネクタ５４−６、５４−７、５４−８は有していない。
【０１６０】
カバー５５Ｃは簡単に開閉可能である構成である。指紋読み取りユニット５４Ｃは、トレイ５３Ｃの指紋読み取りユニット収容部５３Ｃ−１内に収容してある。ケーブル５４Ｃ−９はジグザク状に曲げられた状態でトレイ５３Ｃ内に納まっている。ハウジング５２Ｃの奥にプリント基板５４Ｃ−１３が設けてあり、このプリント基板５４Ｃ−１３上にコネクタ５４Ｃ−１２が固定してある。このコネクタ５４Ｃ−１２はプリント基板５４Ｃ−１３を介してコネクタ５１Ｃと電気的に接続されている。ケーブル５４Ｃ−９の先端のＵＳＢコネクタ５４Ｃ−１０はコネクタ５４Ｃ−１２と接続してある。
【０１６１】
拡張指紋読み取り装置５０Ｃは、図３の拡張指紋読み取り装置５０と同様に使用される。
【０１６２】
ノート型パーソナルコンピュータ２０Ｃを事務所の外に持ち出す際には、拡張指紋読み取り装置５０Ｃをコンピュータ本体２１Ｃの拡張ベイ２４Ｃ内に挿入し実装する。拡張指紋読み取り装置５０Ｃはコンピュータ本体２１Ｃと一体に持ち運ばれる。
【０１６３】
事務所の外でノート型パーソナルコンピュータ２０Ｃを操作する場合には、操作ボタン機構５２−１を一時的に押し、図２０に示すように、指紋読み取りユニット５４Ｃの一部が拡張ベイ２４の外に突き出た状態とし、左手の人指し指の指紋を静電容量式指紋センサ５４Ｃ−５で読み取らせる。又、第１実施例の図１１に示すように、指紋読み取りユニットの全部がノート型パーソナルコンピュータより突き出た状態を取れる構造を採用しても良い。
【０１６４】
ノート型パーソナルコンピュータ２０Ｃを本人の机の上で操作する場合には、拡張指紋読み取り装置５０Ｃをノート型パーソナルコンピュータ２０Ｃの拡張ベイ２４Ｃより引き抜き、カバー５５Ｃを開き、ＵＳＢコネクタ５４Ｃ−１０をコネクタ５４Ｃ−１２から抜き、指紋読み取りユニット５４Ｃをトレイ５３Ｃから外す。この後、図２１に示すように、ＵＳＢコネクタ５４Ｃ−１０をコンピュータ本体２１Ｃの背面側のコネクタに接続する。指紋読み取りユニット５４Ｃは、この状態で使用される。
【０１６５】
この指紋読み取りユニット５４Ｃはケーブル５４Ｃ−９を有する構成、所謂、ケーブル付きの構成であるため、備品としてのケーブルを別に用意する必要がなく、備品としてのケーブルを保管しておく必要がなく、便利である。
【０１６６】
上記の指紋読み取りユニット５４Ｃとノート型パーソナルコンピュータ２０との関係を、図８の関係の他に、図１４に示す関係、又は、図１６に示す関係とすることも可能である。図１６に示す関係の場合には、指紋読み取りユニット５４Ｃは指紋認証ユニットとして機能する。
【０１６７】
以上、第４実施例を説明した。第４実施例では、指紋読み取りにより、認証を行ったが、本発明は指紋読み取りに限られるものではない。認証情報として、生体情報を使用して認証を行う場合は、指紋以外に、音声（声紋）、網膜パターン、筆跡又は顔の特徴を生体情報として入力すればよい。
音声を認証情報として使用する場合は、図１７乃至図２１の拡張装置５０Ｃのユニット５４Ｃの指紋センサ５４Ｃ−５の部分を音声入力手段（一例として、マイクロフォン）に置き換えて実現できる。この場合は、シャッター５４Ｃ−１は、不要である。上記の音声入力手段とノート型パーソナルコンピュータ２０との関係を、図８、図１４又は図１６に示す関係とすることも可能であるが、この場合は、図８、図１４又は図１６の指紋入力部６０は、音声入力部となり、指紋特徴抽出部６２、指紋登録部６３、指紋照合部６４は、それぞれ、声紋特徴抽出部６２、声紋登録部６３、指紋照合部６４に置き換えられる。又、第４実施例では、指紋入力ユニット５４Ｃ（マイクロフォン）が取り外し可能な構成（図１９）、入力ユニット５４（マイクロフォン）の一部が情報処理装置より突き出た状態（図２０）と全部が情報処理装置より突き出た状態を取りうる構成、入力ユニット５４（マイクロフォン）をケーブルで接続可能な構成（図２１）等、第４実施例の種種の構成を適宜採用しても良い。
【０１６８】
網膜パターンを認証情報として使用する場合は、図１７乃至図２１の拡張装置５０Ｃのユニット５４Ｃの指紋センサ５４Ｃ−５の部分を網膜パターン入力手段（一例として、ＣＣＤカメラなどの撮像手段）に置き換えて実現できる。この場合は、シャッター５４Ｃ−１は、必要に応じて設ける。上記の網膜パターン入力手段とノート型パーソナルコンピュータ２０との関係を、図８、図１４又は図１６に示す関係とすることも可能であるが、この場合は、図８、図１４又は図１６の指紋入力部６０は、網膜パターン入力部となり、網膜パターン特徴抽出部６２、網膜パターン登録部６３、網膜パターン照合部６４は、それぞれ、網膜パターン特徴抽出部６２、網膜パターン登録部６３、網膜パターン照合部６４に置き換えられる。又、第４実施例では、入力ユニット５４Ｃ（ＣＣＤカメラなどの撮像手段）が取り外し可能な構成（図１９）、入力ユニット５４（ＣＣＤカメラなどの撮像手段）の一部が情報処理装置より突き出た状態（図２０）と全部が情報処理装置より突き出た状態を取りうる構成、入力ユニット５４（ＣＣＤカメラなどの撮像手段）をケーブルで接続可能な構成（図２１）等、第４実施例の種種の構成を適宜採用しても良い。
【０１６９】
筆跡を認証情報として使用する場合は、図１７乃至図２１の拡張装置５０Ｃのユニット５４Ｃの指紋センサ５４Ｃ−５の部分をタッチ入力手段や手書き文字入力手段（デジタイザなどのタッチパネルや、入力タブレット盤又は、それらとペン入力手段やスタイラスとの組み合わせなどで、手書き文字入力手段を構成する）に置き換えて実現できる。この場合は、シャッター５４Ｃ−１は、適宜採用する。上記のタッチ入力手段や手書き文字入力手段とノート型パーソナルコンピュータ２０との関係を、図８、図１４又は図１６に示す関係とすることも可能であるが、この場合は、図８、図１４又は図１６の指紋入力部６０は、手書きパターン入力部となり、手書きパターン特徴抽出部６２、手書きパターン登録部６３、手書きパターン照合部６４は、それぞれ、手書きパターン特徴抽出部６２、手書きパターン登録部６３、手書きパターン照合部６４に置き換えられる。又、手書きパターン入力ユニット５４Ｃ（タッチ入力手段や手書き文字入力手段）が取り外し可能な構成（図１９）、手書きパターン入力ユニット５４Ｃ（タッチ入力手段や手書き文字入力手段）の一部が情報処理装置より突き出た状態（図２０）と全部が情報処理装置より突き出た状態を取りうる構成、手書きパターン入力ユニット５４Ｃ（タッチ入力手段や手書き文字入力手段）をケーブルで接続可能な構成（図２１）等、第４実施例の種種の構成を適宜採用しても良い。
【０１７０】
顔の特徴を認証情報として使用する場合は、図１７乃至図２１の拡張装置５０のユニット５４Ｃの指紋センサ５４Ｃ−５の部分を撮像手段（一例として、ＣＣＤカメラ）に置き換えて実現できる。この場合は、シャッター５４Ｃ−１は、必要に応じて設ける。
【０１７１】
上記の撮像手段とノート型パーソナルコンピュータ２０との関係を、図８、図１４又は図１６に示す関係とすることも可能であるが、図８、図１４又は図１６の指紋入力部６０は、撮像入力部となり、指紋特徴抽出部６２、指紋登録部６３、指紋照合部６４は、それぞれ、顔の特徴抽出部６２、パターン登録部６３、パターン照合部６４に置き換えられる。又、入力ユニット５４Ｃ（ＣＣＤカメラなどの撮像手段）が取り外し可能な構成（図１９）、入力ユニット５４Ｃ（ＣＣＤカメラなどの撮像手段）の一部が情報処理装置より突き出た状態（図２０）と全部が情報処理装置より突き出た状態を取りうる構成、入力ユニット５４Ｃ（ＣＣＤカメラなどの撮像手段）をケーブルで接続可能な構成（図２１）等、第４実施例の種種の構成を適宜採用しても良い。
【０１７２】
又、本発明は生体情報を認証情報として利用するものに限られない。後述する図２３、図２５、図２７にあるように、ＩＣカードや磁気カードによるＩＤカードによって認証情報を入力しても良いし、ボタンを用いてパスワードやＩＤ番号、暗証番号等を入力しても良い。この場合は、図１７乃至図２１の入力ユニット５４Ｃが設けられる部分に、ＩＣカードリーダや磁気カードリーダや、テンキーなどのボタンを設ければ良い。又、これらのリーダやボタンなどを、取り外し可能な入力ユニット５４Ｃに配置してもよい。同様に、入力ユニット５４Ｃ（ＩＣカードリーダや磁気カードリーダやテンキーなどのボタン）の一部が情報処理装置より突き出た状態（図２０）と全部が情報処理装置より突き出た状態を取りうる構成、入力ユニット５４（ＣＣＤカメラなどの撮像手段）をケーブルで接続可能な構成（図２１）等、第４実施例の種種の構成を適宜採用しても良い。
【０１７３】
〔第５実施例〕
図２２は、本発明の第５実施例になる認証情報入力手段を又はセキュリティ機能を有する拡張装置（一例としては、拡張指紋読み取り装置８０）を示す。拡張指紋読み取り装置８０は、ノート型パーソナルコンピュータ２０Ｄの拡張ベイ２４Ｄに対応する外形寸法を有する。拡張指紋読み取り装置８０は、側面８２側に、静電容量式指紋センサ８３が設けてある。認証情報入力手段の一例として、静電容量式指紋センサ８３は通常はシャッター８４で覆われている。側面８２は、拡張ベイ２４Ｄに実装された状態でコンピュータ本体２１Ｄの左側面２５Ｄ側に露出する面である。図２２では、認証情報の一例として、生体情報の一つである指紋を用いている。
【０１７４】
拡張指紋読み取り装置８０は、ノート型パーソナルコンピュータ２０の収容部の一例としての拡張ベイ２４に挿入されて実装されて使用される。よって、拡張指紋読み取り装置８０は携帯性が良い。指紋読み取り装置８０とノート型パーソナルコンピュータ２０とは、図８に示す関係にある。
【０１７５】
ノート型パーソナルコンピュータ２０Ｄを操作する際には、左手の人指し指でシャッター８４をＹ１方向に押して、シャッター８４をスライドさせて開くと共に人指し指を静電容量式指紋センサ８３の上面に軽く押しつける。
【０１７６】
静電容量式指紋センサ８４は人指し指の指紋を読み取る。この読み取られた指紋のデータがコネクタ８１を介してコンピュータ本体２１に送られ、ここで、指紋の特徴の抽出、抽出された指紋の特徴と登録されている指紋のデータとの照合が行なわれ、本人であるか否かが判断される。本人であると判断されると、ノート型パーソナルコンピュータ２０Ｄの起動が可能となる。本人ではないと判断された場合には、起動操作してもノート型パーソナルコンピュータ２０Ｄは起動されない。これによって、セキュリティが確保される。
【０１７７】
上記の拡張指紋読み取り装置８０とノート型パーソナルコンピュータ２０Ｄとの関係を、図１４に示す関係、又は、図１６に示す関係とすることも可能である。
【０１７８】
〔第６実施例〕
図２３は、本発明の第６実施例になる拡張ＩＣカード読み取り装置９０を示す。拡張ＩＣカード読み取り装置９０には、ＩＤカードとしてのＩＣカードが使用される。拡張ＩＣカード読み取り装置９０は、内部に、認証情報入力手段の一例として、ＩＣカード読み取りヘッド９２を有し、Ｘ２方向側の側面９３に、ＩＣカードが挿入される開口９４が形成してある。ＩＣカード９５には、ＩＣチップ９５ａが組み込まれており、このＩＣチップ９５ａに本人に関する情報が記憶されている。図２３では、認証情報の一例として、ＩＣカードを用いている。
【０１７９】
拡張ＩＣカード読み取り装置９０は、ノート型パーソナルコンピュータ２０Ｅの収容部の一例としての拡張ベイ２４Ｅに挿入されて実装されて使用される。よって、拡張ＩＣカード読み取り装置９０は携帯性が良い。
【０１８０】
拡張ＩＣカード読み取り装置９０とノート型パーソナルコンピュータ２０Ｅとは、図２４に示す関係にある。拡張ＩＣカード読み取り装置９０は、ＩＣカードデータ入力部９６を有する。ノート型パーソナルコンピュータ２０Ｅは、制御部９７と、本人のデータを登録しているデータ登録部９８と、ＩＣカードデータ入力部９６をデータ登録部９８のデータと照合させるデータ照合部９９とを有する。
【０１８１】
ノート型パーソナルコンピュータ２０Ｅを操作する際には、自分のＩＤカードとしてのＩＣカード９５を開口９４内に挿入する。
【０１８２】
ＩＣカード読み取りヘッド９２はＩＣカード９５のデータを読み取る。この読み取られた指紋のデータがコンピュータ本体２１Ｅに送られ、ここで、データと登録されているデータとの照合が行なわれ、本人であるか否かが判断される。本人であると判断されると、ノート型パーソナルコンピュータ２０Ｅの起動が可能となる。本人ではないと判断された場合には、起動操作してもノート型パーソナルコンピュータ２０Ｅは起動されない。これによって、セキュリティが確保される。
【０１８３】
〔第７実施例〕
図２５は、本発明の第７実施例になる拡張磁気カード読み取り装置１００を示す。拡張磁気カード読み取り装置１００には、ＩＤカードとしての磁気カードが使用される。拡張磁気カード読み取り装置１００は、内部に、認証情報入力手段の一例として、磁気カード読み取りヘッド１０２を有し、Ｘ２方向側の側面１０３に、磁気カードが挿入される開口１０４が形成してある。磁気カード１０５には、本人に関する情報が記録してある。図２５では、認証情報の一例として、磁気カードを用いている。
【０１８４】
拡張磁気カード読み取り装置１００は、ノート型パーソナルコンピュータ２０Ｆの収容部の一例としての拡張ベイ２４Ｆに挿入されて実装されて使用される。よって、拡張磁気カード読み取り装置１００は携帯性が良い。
【０１８５】
拡張磁気カード読み取り装置１００とノート型パーソナルコンピュータ２０Ｆとは、図２６に示す関係にある。拡張磁気カード読み取り装置１００は、磁気カードデータ入力部１０６を有する。ノート型パーソナルコンピュータ２０Ｆは、制御部１０７と、本人のデータを登録しているデータ登録部１０８と、磁気カードデータ入力部１０６からのデータをデータ登録部１０８のデータと照合させるデータ照合部１０９とを有する。
【０１８６】
ノート型パーソナルコンピュータ２０Ｆを操作する際には、自分のＩＤカードとしての磁気カード１０５を開口１０４内に挿入して、Ｙ２方向に移動させる。
【０１８７】
磁気カード読み取りヘッド１０２は磁気カード１０５のデータを読み取る。この読み取られた指紋のデータがコンピュータ本体２１Ｆに送られ、ここで、データと登録されているデータとの照合が行なわれ、本人であるか否かが判断される。本人であると判断されると、ノート型パーソナルコンピュータ２０Ｆは起動が可能となる。本人ではないと判断された場合には、起動操作してもノート型パーソナルコンピュータ２０Ｆは起動されない。これによって、セキュリティが確保される。
【０１８８】
〔第８実施例〕
図２７は、本発明の第７実施例になる拡張暗証番号入力装置１１０を示す。認証情報入力手段の一例として、拡張暗証番号入力装置１１０は、Ｘ２方向側の側面１１２に、複数の押しボタン部１１３を有する。複数の押しボタン部１１３は、Ｙ１−Ｙ２方向に並んでいる。
【０１８９】
拡張暗証番号入力装置１１０は、ノート型パーソナルコンピュータ２０Ｇの収容部の一例としての拡張ベイ２４Ｇに挿入されて実装されて使用される。よって、拡張暗証番号入力装置１１０は携帯性が良い。図２７では、認証情報の一例として、パスワード、暗証番号又はＩＤ等を用いている。
【０１９０】
拡張暗証番号入力装置１１０とノート型パーソナルコンピュータ２０Ｇとは、図２８に示す関係にある。拡張暗証番号入力装置１１０は、暗証番号入力部１１５を有する。ノート型パーソナルコンピュータ２０Ｇは、制御部１１６と、本人の暗証番号を登録している暗証番号登録部１１７と、暗証番号入力部１１５からのデータを暗証番号登録部１１７の暗証番号と照合させる暗証番号照合部１０９とを有する。
【０１９１】
ノート型パーソナルコンピュータ２０Ｇを操作する際には、押しボタン部１１３を操作して自分の暗証番号（又は、パスワード、ＩＤ等）を入力する。この暗証番号がコンピュータ本体２１Ｇに送られ、ここで、暗証番号と登録されている暗証番号との照合が行なわれ、本人であるか否かが判断される。本人であると判断されると、ノート型パーソナルコンピュータ２０Ｇは起動が可能となる。本人ではないと判断された場合には、起動操作してもノート型パーソナルコンピュータ２０Ｇは起動されない。これによって、セキュリティが確保される。
【０１９２】
上記各拡張装置５０，８０，９０，１００，１１０は、コンピュータ本体の拡張ベイの他に、平面図の形状がコンピュータ本体の奥行き方向上略半分の大きさであり、コンピュータ本体の下面に取り付けられた拡張ベイハウジングに形成してある拡張ベイ挿入されて実装されてもよい。また、上記各拡張装置５０，８０，９０，１００，１１０は、平面図の形状がコンピュータ本体と略同じ外形を有し、コンピュータ本体が上面に搭載される拡張装置に形成してある拡張ベイに挿入されて実装されてもよい。
【０１９３】
また、デスクトップ型のパーソナルコンピュータが拡張ベイを有する構成である場合には、拡張装置５０，８０，９０，１００，１１０は、このデスクトップ型のパーソナルコンピュータが拡張ベイに挿入されて実装されてもよい。
【０１９４】
即ち、本実施の形態では、ノート型パソコンを例にし、そのノート型パソコン本体にベイがある例で説明したが、ノート型パソコンに接続されるドッキングステーションや機能拡張装置と称されるものにベイを設け、そのベイに挿入されるユニットに本発明を適用しても良いし、本明細書はその趣旨を除くものではない。ドッキングステーションは、例えば、特開平１０−１３３７７８号公報や、特開平９−６４７５号公報に開示されている。このドッキングステーションは、ノート型パソコンの機能拡張装置と称される場合もある。典型的なドッキングステーションは、ノートパソコン本体が実装していない周辺機器を１つ又は複数保持するものである。普段は、ノート型パソコンの機動性を生かして持ち歩き、オフィスでは、ドッキングステーションに前記ノート型パソコンを合体させ（典型的には、ノートパソコンがドッキングステーション等の上に乗るか、ノートパソコンの背後でドッキングステーションと合体する）、デスクトップパソコン並みの機能を実現又はデスクトップパソコンのように使用するものである。本発明はこれらの装置は、拡張ベイを設けた場合にも適用できる。即ち、特許請求の範囲又は本出願の「情報処理装置の拡張ベイ」又は「拡張ベイ」の語は、図示した実施の様に情報処理装置本体がベイ自体を所有する場合のみを意味するのではなく、情報処理装置のための拡張ベイや情報処理装置用の拡張ベイを含むものであり、前記ドッキングステーションや機能拡張装置に設けられるベイも含む。又、拡張ベイハウジングやドッキングベイと称される装置のように、ベイのみを有し周辺機器を有さない装置もある。これらの装置もノートパソコンと合体させて使用するものであるが、特許請求の範囲又は本出願の「情報処理装置の拡張ベイ」又は「拡張ベイ」の語は、この拡張ベイハウジングやドッキングベイも含む。これらも、情報処理装置のベイであることには、変わらない。又、前記ドッキングステーション、前記機能拡張装置、拡張ベイハウジング又はドッキングベイと称される装置と情報処理装置が合体した状態では、合体した状態で情報処理装置である。又、情報処理装置の語は、ドッキングステーション、前記機能拡張装置、拡張ベイハウジング又はドッキングベイ自体も含む意である。
ドッキングステーション、前記機能拡張装置は、記憶装置等を有し、何らかの形で情報を処理するからであり、拡張ベイハウジング又はドッキングベイもベイに何らかのユニットが設けられた状態では、何らかの形での情報を処理しており、情報を自利するための装置だからである。従って、情報処理の語は、情報処理関連の装置も意味するものである。
〔第９実施例〕
図２９乃至図３１は、本発明の第９実施例になる認証情報入力装置又はセキュリティ機能（例として、指紋読み取り装置）を有する情報処理装置としてのノート型パーソナルコンピュータ２０である。発明の実施の形態では、便宜的にノート型パーソナルコンピュータと称するが、この実施の形態では、携帯端末、携帯型情報処理装置等と称される情報処理装置を含む。また、コンピュータと言う語は、何らかのプロセッサを有する装置、何らかの情報処理を行なうための装置、又は何らかの情報処理に関連する行為（データ記憶、通信）を行なうための装置等を含むことを意味する。
【０１９５】
図２９及び図３０中、ノート型パーソナルコンピュータ２０は、コンピュータ本体２１と、開閉可能の表示部又は表示手段であるところの液晶表示部２７（図２９及ぶ図３０では、液晶表示部２７は一部しか図示されていないが、図２のそれと同じである）とよりなる。Ｘ１，Ｘ２はノート型パーソナルコンピュータ２０の幅方向、Ｙ１，Ｙ２は奥行き方向、筐体又はハウジングの一例としてのコンピュータ本体２１は、上面に、入力手段としての、キーボード部２２を有し、内部にＣＰＵ又はプロセッサ（図示せず）が組み込まれている。
【０１９６】
この第９実施例の認証情報入力装置又はセキュリティ機能（一例として、指紋読み取り装置）は、第１実施例の如く拡張ベイに着脱可能に設けられるものではなく、情報処理装置に固定的に備えつけられるものである。図２９、図３０に示すように、大略、筐体又はハウジングの一例としてのコンピュータ本体２１にＸ１，Ｘ２方向に移動可能に設けてある移動手段の一例としてのトレイ５３Ｈと、トレイ５３Ｈ上に設けられている指紋読み取りユニット５４Ｈとを有する構成である。
【０１９７】
情報処理装置側面には、操作手段の一例としての操作ボタン機構５２Ｈ−１が設けてある。
【０１９８】
図２９は、認証情報入力ユニットの一例としての指紋読み取りユニット５４Ｈが情報処理装置本体２１（筐体又はハウジング）内に収納された状態を示し、図３０は、指紋読み取りユニット５４Ｈが情報処理装置本体２１（筐体又はハウジング）内から外に出た状態を示している。前記操作ボタン５２Ｈ−１の操作により、図２９から図３０の状態になる。上記トレイ５３が移動する機構は、図５、１０、図１１で図示したダンパ５２−２、ガイドレール５２−３、５２−４などの機構により構成される。図３０から図２９の状態にする場合は、ユーザがトレイ５３ＨをＸ１方向に押し戻せば良い。
【０１９９】
指紋読み取りユニット５４Ｈは、上面に静電容量式指紋センサ５４Ｈ−５が実装してあり、認証情報入力手段の一例としての静電容量式指紋センサ５４Ｈ−５は、通常はシャッター５４Ｈ−１によって覆われており、シャッター５４Ｈ−１をＹ１方向にスライドさせて開くと露出する。
【０２００】
この静電容量式指紋センサ５４Ｈ−５は、例えば、Veridicom 社製のFPS100
Solid-State Fingerprint Sensor である。
【０２０１】
次に、指紋読み取りユニット５４Ｈとノート型パーソナルコンピュータ２０との関係について説明する。
【０２０２】
図３１に示すように、指紋読み取りユニット５４Ｈは、指紋入力部６０を有する。
ノート型パーソナルコンピュータ２０内部には、制御部６１と、指紋入力部６０から供給された画像のデータより指紋の特徴を抽出する指紋特徴抽出部６２と、本人の左手の人指し指の指紋のデータを登録している指紋登録部６３と、指紋特徴抽出部６２よりの指紋のデータを指紋登録部６３の指紋のデータと照合させる指紋照合部６４とを有する。即ち、指紋読み取りユニット５４Ｈは指紋の読み取りだけを行い、ノート型パーソナルコンピュータ２０が本人であるか否かを判断する動作を行なう。
ノート型パーソナルコンピュータ２０を事務所の外に持ち出す際には、読み取りユニット５４Ｈをコンピュータ本体２１の内部に挿入した状態（図２９）にする。
【０２０３】
これによって、指紋読み取りユニット５４Ｈはコンピュータ本体２１の外形内に収まり、指紋読み取りユニット５４Ｈはノート型パーソナルコンピュータ２０と一体となる。よって、ノート型パーソナルコンピュータ２０を持ち運べばよく、指紋読み取りユニット５４Ｈを別途携帯する必要はない。よって、図１に示す従来のようにカード型指紋認証装置１をノート型パーソナルコンピュータ１０とは別に持ち運ぶ場合に比べて、指紋読み取り部が突き出た状態でないので、良好な携帯性を有する。
【０２０４】
ノート型パーソナルコンピュータ２０を操作する場合には、先ず、操作ボタン機構５２−１を一時的に押す。
【０２０５】
これによって、トレイ５３ＨがＸ２方向に移動して、コンピュータ本体２１の側面より突き出る。これによって、図３０に示すようになり、指紋読み取りユニット５４Ｈは開口５４−２ａがコンピュータ本体２１の外に出た状態、即ち、シャッター５４Ｈ−１を開き得る状態となる。
【０２０６】
次いで、左手の人指し指でシャッター５４Ｈ−１をＹ１方向に押して、シャッター５４Ｈ−１をＹ１方向にスライドさせて開くと共に人指し指を静電容量式指紋センサ５４Ｈ−５の上面に軽く押しつける。
【０２０７】
静電容量式指紋センサ５４Ｈ−５は人指し指の指紋を読み取る。この読み取られた指紋のデータがコンピュータ本体２１内の制御部６１（図３０）に送られ、ここで、指紋の特徴の抽出、抽出された指紋の特徴と登録されている指紋のデータとの照合が行なわれ、本人であるか否かが判断される。
【０２０８】
なお、ノート型パーソナルコンピュータ２０が起動されたのちは、トレイ５３ＨをＸ１方向に押して、指紋読み取りユニット５４Ｈをノート型パーソナルコンピュータ２０内に収め、邪魔とならないようにする。
【０２０９】
以上、第９実施例を説明したが、上述した通り、トレイ５３Ｈの移動は、第１実施例の機構を採用することで実現できる。又、第１実施例は、入力ユニット５４Ｈの一部が情報処理装置本体２１より突き出た状態（図９）と全部が情報処理装置より突き出た状態（図１１）を取りうる構成を採用しているが、その構成を採用してよい。
又、第１実施例は、指紋読み取りユニット５４Ｈがトレイ５３から着脱可能な構成を採用したが、その構成を採用しても良いし、又、指紋読み取りユニット５４Ｈがトレイ５３Ｈに固定される構成を採用してもよい。更に、第１実施例では、入力ユニット５４（指紋読み取りユニット５４）をケーブルで接続可能な構成（図１２）を採用したが、その構成も適宜採用しても良い。その場合は、図１２で示す使用態様が可能である。
【０２１０】
以上、第９実施例を説明した。第９実施例では、指紋読み取りにより、認証を行ったが、本発明の、認証情報の入力は指紋読み取りに限られるものではない。例えば、生体情報を使用して認証を行う場合は、指紋以外に、音声（声紋）、網膜パターン、筆跡又は顔の特徴を生体情報として入力すればよい。音声を認証情報として使用する場合は、これらの実施形態を採用する場合は、図２９乃至図３０のユニット５４の指紋センサ５４Ｈ−５の部分を音声入力手段（一例として、マイクロフォン）に置き換えて実現できる。この場合は、シャッター５４Ｈ−１は、不要である。図３１の指紋入力部６０は、音声入力部となり、音声データが、制御部６１に送信される。図３１中、指紋特徴抽出部６２、指紋登録部６３、指紋照合部６４は、それぞれ、声紋特徴抽出部６２、声紋登録部６３、指紋照合部６４に置き換えられる。又、第1実施例や第９実施例での、指紋入力ユニット５４Ｈ（マイクロフォン）が取り外し可能な構成、入力ユニット５４（マイクロフォン）の一部が情報処理装置より突き出た状態と全部が情報処理装置より突き出た状態（図１１）を取りうる構成、入力ユニット５４（マイクロフォン）をケーブルで接続可能な構成（図１２）等、第１乃至第９実施例の種種の構成を適宜採用しても良い。
【０２１１】
網膜パターンを認証情報として使用する場合は、これらの実施形態を採用する場合は、図２９乃至図３０のユニット５４の指紋センサ５４Ｈ−５の部分を網膜パターン入力手段（一例として、ＣＣＤカメラなどの撮像手段）に置き換えて実現できる。この場合は、シャッター５４Ｈ−１は、必要に応じて設ける。図３１の指紋入力部６０は、網膜パターン入力部となり、網膜パターンデータが、制御部６１に送信される。図３１中、指紋特徴抽出部６２、指紋登録部６３、指紋照合部６４は、それぞれ、網膜パターン特徴抽出部６２、網膜パターン登録部６３、網膜パターン照合部６４に置き換えられる。又、第1や第９実施例の、入力ユニット５４（ＣＣＤカメラなどの撮像手段）が取り外し可能な構成（図４）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１乃至第９実施例の種種の構成を適宜採用しても良い。
【０２１２】
筆跡を認証情報として使用する場合は、これらの実施形態を採用する場合は、図２９乃至図３１のユニット５４Ｈの指紋センサ５４Ｈ−５の部分をタッチ入力手段や手書き文字入力手段（デジタイザなどのタッチパネルや、入力タブレット盤又は、それらとペン入力手段やスタイラスとの組み合わせなどで、手書き文字入力手段を構成する）に置き換えて実現できる。この場合は、シャッター５４Ｈ−１は、適宜採用する。図３１の指紋入力部６０は、タッチ入力部や手書き文字入力部となり、手書きパターンが、制御部６１に送信される。図３１中、手書きパターン特徴抽出部６２、手書きパターン登録部６３、手書きパターン照合部６４は、それぞれ、手書きパターン特徴抽出部６２、手書きパターン登録部６３、手書きパターン照合部６４に置き換えられる。又、第1や第９実施例の、入力ユニット５４（タッチ入力手段や手書き文字入力手段）が取り外し可能な構成（図４）、入力ユニット５４（タッチ入力手段や手書き文字入力手段）の一部が情報処理装置より突き出た状態（図９）と全部が情報処理装置より突き出た状態（図１１）を取りうる構成、入力ユニット５４（タッチ入力手段や手書き文字入力手段）をケーブルで接続可能な構成（図１２）等、第１乃至第９実施例の種種の構成を適宜採用しても良い。
【０２１３】
顔の特徴を認証情報として使用する場合は、これらの実施形態を採用する場合は、図２９乃至図３１のユニット５４Ｈの指紋センサ５４Ｈ−５の部分を撮像手段（一例として、ＣＣＤカメラ）に置き換えて実現できる。この場合は、シャッター５４Ｈ−１は、必要に応じて設ける。図３１の指紋入力部６０は、撮像入力部となり、撮像されたイメージデータが、制御部６１に送信される。図８中、指紋特徴抽出部６２、指紋登録部６３、指紋照合部６４は、それぞれ、顔の特徴抽出部６２、パターン登録部６３、パターン照合部６４に置き換えられる。又、第1や第９実施例の、入力ユニット５４（ＣＣＤカメラなどの撮像手段）が取り外し可能な構成（図４）、入力ユニット５４（ＣＣＤカメラなどの撮像手段）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１乃至第９実施例の種々の構成を適宜採用しても良い。
【０２１４】
又、本発明は生体情報を認証情報として利用するものに限られない。前述した図２３、図２５、図２７にあるように、ＩＣカードや磁気カードによるＩＤカードによって認証情報を入力しても良いし、ボタンを用いてパスワード、ＩＤ番号又は暗証番号等を入力しても良い。この場合は、図３０入力ユニット５４が設けられる部分に、ＩＣカードリーダや磁気カードリーダや、テンキーなどのボタンを設ければ良い。又、これらのリーダやボタンなどを、取り外し可能な入力ユニット５４に配置してもよい。同様に、入力ユニット５４（ＩＣカードリーダや磁気カードリーダやテンキーなどのボタン）の一部が情報処理装置より突き出た状態（図９）と全部が情報処理装置より突き出た状態（図１１）を取りうる構成、入力ユニット５４（ＣＣＤカメラなどの撮像手段）をケーブルで接続可能な構成（図１２）等、第１乃至第９実施例の種種の構成を適宜採用しても良い。
〔第１０実施例〕
図３２乃至図３４は、本発明の第１０実施例になる認証情報入力手段を又はセキュリティ機能を有する拡張装置（一例としては、拡張指紋読み取り装置５０Ｉ）を示す。認証情報入力ユニットの一例として指紋読み取りユニット５４Ｉを有する。図３２乃至図３４中、図２乃至図６に示す構成部分と対応する部分には、添字「Ｉ」を付した同一符号を付し、その説明は省略する。図３２及び図３４では、認証情報の一例として、生体情報の１つである指紋を用いている。
【０２１５】
図３２中、ノート型パーソナルコンピュータ２０Ｉは、筐体又はハウジングの一例としてのコンピュータ本体２１Ｉと、開閉される表示部であるところの液晶表示部２７Ｉとよりなる。Ｘ１，Ｘ２はノート型パーソナルコンピュータ２０Ｉの幅方向、Ｙ１，Ｙ２は奥行き方向、Ｚ１，Ｚ１は高さ（厚さ）方向である。コンピュータ本体２１Ｉは、上面に、入力手段であるところのキーボード部２２Ｉを有し、内部にプロセッサ又はＣＰＵ２３Ｉが組み込まれており、底面側に収容部としての拡張ベイ２４が形成してある。図２のノート型パーソナルコンピュータ２０Ｉに比較して、図３２のそれは、拡張ベイ２４Ｅ、コンピュータ本体２１ＩのうちＸ１方向側半分の部分に形成してあり、コンピュータ本体２１Ｉの使用者に向かって前面側に開口２６Ｉを有する。この実施例では、開口２６Ｉを使用者に向かって前面側（Ｙ２側）に設けている。尚、前面側であればよく、装置Ｘ２側に、使用者に向かって前面側（Ｙ２側に、開口２６Ｉを設けてもよい。
【０２１６】
このノート型パーソナルコンピュータ２０Ｉに関連して、拡張装置として、拡張フロッピーディスク装置３０、拡張ＣＤ−ＲＯＭ装置４０、本発明の第１乃至４実施例になる認証情報入力手段を有する又はセキュリティ機能を有する拡張装置（一例として、拡張指紋読み取り装置５０、５０Ａ，５０Ｂ，５０Ｃ，５０Ｄ）、本発明の第５実施例になる拡張指紋認証装置８０（又は、拡張指紋読み取り装置）、本発明の第６実施例になる拡張ＩＣカード式認証装置９０（又は、拡張ＩＣカード読み取り装置）、本発明の第７実施例になる拡張磁気カード式認証装置１００（又は、拡張磁気カード読み取り装置）、本発明の第８実施例になる拡張暗証番号式認証装置１１０（又は、拡張暗証番号入力装置）が用意されている。図３２中では、図示を省略するが、上記拡張装置も、開口２６Ｉより、拡張ベイ２４Ｉに取り付けることが出来る。同様に、図３２中の拡張指紋読み取り装置５０Ｉも、開口２６Ｉより、拡張ベイ２４Ｉに取り付けることが出来る。拡張指紋読み取り装置５０Ｉの構造は、図３３に示すとおりである。指紋読み取りユニット５４Ｉは、図３４に示すとおりであるが、認証情報入力ユニットとしての一例である指紋読み取りユニット５４Ｉは、下面に左側配置用コネクタ５４Ｉ−６、右側配置用コネクタ５４Ｉ−７の間に、前側配置用コネクタ５４Ｉ−９（５４Ｉ−３ｄは開口）が組み込まれている。即ち、拡張指紋読み取り装置５０又は５０Ｉが図２，３，４のように、ノート型パーソナルコンピュータ２７の左側又は右側に取り付ける側面に取り付けられる場合と、拡張指紋読み取り装置５０又は５０Ｉが、図３２の如く、使用者に向かって前面側に取り付けられる場合の両方で、同一の指紋読み取りユニット５４Ｉを共用するためである。即ち、拡張指紋読み取り装置５０Ｉが図３２の如くコンピュータ前面に取り付けられる場合は、図３３に示す如くシャッター５４Ｉ−１の開閉方向が、トレイ５３Ｉの開閉方向と同じ方が好ましいからである。即ち、キーボード２２Ｉの前面にトレイ５３Ｉが突き出すので、使用者は、シャッター５４Ｉ−１を図３２のＹ１方向に開けるほうがＸ１−Ｘ２方向に開けるよりも、操作性がよいからである。又、シャッターが省く構成も可能であるが、この場合にも、前側前側配置用コネクタ５４Ｉ−９を採用してもよい。
【０２１７】
従って、図３４の指紋読み取りユニット５４Ｉは、図４に示す態様から９０度回転して、トレイ５３Ｉに取り付けられる。このとき、図３３のコネクタ５３Ｉ-３は、図３４の前側配置用コネクタ５４Ｉ−９と接続する。又、図３４の指紋読み取りユニット５４Ｉが、図４のトレイ５３に接続される場合は、左側配置用コネクタ５４Ｉ−６がコネクタ５３Ｉ-３と接続する。
【０２１８】
指紋読み取りユニット５４Ｉを図３２乃至図３４の様に、９０度回転してもトレイ５３にのせることが出来る場合は、指紋読み取りユニット５４ＩのＸ１-Ｘ２方向、Ｙ１-Ｙ２方向の長さを同じにし、トレイ５３又は５３Ｉの収容部の形状もそれに合わせることが好ましい。指紋入力ユニット５４Ｉと情報処理装置２０の関係は、図８、図１４又は図１６に示すものを採用するのが好ましい。
【０２１９】
以上、第１０実施例を説明した。第１０実施例では、指紋読み取りにより、認証を行ったが、本発明は指紋読み取りに限られるものではない。認証情報として、生体情報を使用して認証を行う場合は、指紋以外に、音声（声紋）、網膜パターン、筆跡又は顔の特徴を生体情報として入力すればよい。
【０２２０】
音声を認証情報として使用する場合は、図３３乃至図３４の拡張装置５０Ｉのユニット５４Ｉの指紋センサ５ＩＣ−５の部分を音声入力手段（一例として、マイクロフォン）に置き換えて実現できる。この場合は、シャッター５４Ｉ−１は、不要である。上記の音声入力手段とノート型パーソナルコンピュータ２０との関係を、図８、図１４又は図１６に示す関係とすることも可能であるが、この場合は、図８、図１４又は図１６の指紋入力部６０は、音声入力部となり、指紋特徴抽出部６２、指紋登録部６３、指紋照合部６４は、それぞれ、声紋特徴抽出部６２、声紋登録部６３、指紋照合部６４に置き換えられる。又、第４実施例では、指紋入力ユニット５４Ｃ（マイクロフォン）が取り外し可能な構成（図１９）、入力ユニット５４（マイクロフォン）の一部が情報処理装置より突き出た状態（図２０）と全部が情報処理装置より突き出た状態を取りうる構成、入力ユニット５４（マイクロフォン）をケーブルで接続可能な構成（図２１）等、第４実施例の種種の構成を適宜採用しても良い。
【０２２１】
網膜パターンを認証情報として使用する場合は、図３２乃至図３４の拡張装置５０Iのユニット５４Iの指紋センサ５４I−５の部分を網膜パターン入力手段（一例として、ＣＣＤカメラなどの撮像手段）に置き換えて実現できる。この場合は、シャッター５４I−１は、必要に応じて設ける。上記の網膜パターン入力手段とノート型パーソナルコンピュータ２０との関係を、図８、図１４又は図１６に示す関係とすることも可能であるが、この場合は、図８、図１４又は図１６の指紋入力部６０は、網膜パターン入力部となり、網膜パターン特徴抽出部６２、網膜パターン登録部６３、網膜パターン照合部６４は、それぞれ、網膜パターン特徴抽出部６２、網膜パターン登録部６３、網膜パターン照合部６４に置き換えられる。又、第４実施例では、入力ユニット５４I（ＣＣＤカメラなどの撮像手段）が取り外し可能な構成（図１９）、入力ユニット５４（ＣＣＤカメラなどの撮像手段）の一部が情報処理装置より突き出た状態（図２０）と全部が情報処理装置より突き出た状態を取りうる構成、入力ユニット５４（ＣＣＤカメラなどの撮像手段）をケーブルで接続可能な構成（図２１）等、第４実施例の種種の構成を適宜採用しても良い。
【０２２２】
筆跡を認証情報として使用する場合は、図３２乃至図３４の拡張装置５０Iのユニット５４Iの指紋センサ５４I−５の部分をタッチ入力手段や手書き文字入力手段（デジタイザなどのタッチパネルや、入力タブレット盤又は、それらとペン入力手段やスタイラスとの組み合わせなどで、手書き文字入力手段を構成する）に置き換えて実現できる。この場合は、シャッター５４I−１は、適宜採用する。上記のタッチ入力手段や手書き文字入力手段とノート型パーソナルコンピュータ２０との関係を、図８、図１４又は図１６に示す関係とすることも可能であるが、この場合は、図８、図１４又は図１６の指紋入力部６０は、手書きパターン入力部となり、手書きパターン特徴抽出部６２、手書きパターン登録部６３、手書きパターン照合部６４は、それぞれ、手書きパターン特徴抽出部６２、手書きパターン登録部６３、手書きパターン照合部６４に置き換えられる。又、手書きパターン入力ユニット５４I（タッチ入力手段や手書き文字入力手段）が取り外し可能な構成（図１９）、手書きパターン入力ユニット５４I（タッチ入力手段や手書き文字入力手段）の一部が情報処理装置より突き出た状態（図２０）と全部が情報処理装置より突き出た状態を取りうる構成、手書きパターン入力ユニット５４I（タッチ入力手段や手書き文字入力手段）をケーブルで接続可能な構成（図２１）等、第４実施例の種種の構成を適宜採用しても良い。
【０２２３】
顔の特徴を認証情報として使用する場合は、図３２乃至図３３の拡張装置５０Ｉのユニット５４Iの指紋センサ５４I−５の部分を撮像手段（一例として、ＣＣＤカメラ）に置き換えて実現できる。この場合は、シャッター５４I−１は、必要に応じて設ける。
【０２２４】
上記の撮像手段とノート型パーソナルコンピュータ２０Ｉとの関係を、図８、図１４又は図１６に示す関係とすることも可能であるが、図８、図１４又は図１６の指紋入力部６０は、撮像入力部となり、指紋特徴抽出部６２、指紋登録部６３、指紋照合部６４は、それぞれ、顔の特徴抽出部６２、パターン登録部６３、パターン照合部６４に置き換えられる。又、入力ユニット５４I（ＣＣＤカメラなどの撮像手段）が取り外し可能な構成（図１９）、入力ユニット５４I（ＣＣＤカメラなどの撮像手段）の一部が情報処理装置より突き出た状態（図２０）と全部が情報処理装置より突き出た状態を取りうる構成、入力ユニット５４Ｉ（ＣＣＤカメラなどの撮像手段）をケーブルで接続可能な構成（図２１）等、第４実施例の種種の構成を適宜採用しても良い。
【０２２５】
又、本発明は生体情報を認証情報として利用するものに限られない。後述する図２３、図２５、図２７にあるように、ＩＣカードや磁気カードによるＩＤカードによって認証情報を入力しても良いし、ボタンを用いてパスワードやＩＤ番号、暗証番号等を入力しても良い。この場合は、図１７乃至図２１の入力ユニット５４Iが設けられる部分に、ＩＣカードリーダや磁気カードリーダや、テンキーなどのボタンを設ければ良い。又、これらのリーダやボタンなどを、取り外し可能な入力ユニット５４Ｉに配置してもよい。同様に、入力ユニット５４Ｉ（ＩＣカードリーダや磁気カードリーダやテンキーなどのボタン）の一部が情報処理装置より突き出た状態（図２０）と全部が情報処理装置より突き出た状態を取りうる構成、入力ユニット５４Ｉ（ＣＣＤカメラなどの撮像手段）をケーブルで接続可能な構成（図２１）等、第４実施例の種種の構成を適宜採用しても良い。
【０２２６】
本発明は、以下の付記する発明をも包含するものである。
（付記１）  情報処理装置の拡張ベイに取り付けられる構造を有し、且つ、認証情報入力手段を有することを特徴とする拡張装置。
（付記２）  前記認証情報入力手段は、生体情報を入力する生体情報入力手段であることを特徴とする付記１記載の拡張装置。
（付記３）  前記認証情報入力手段は、ＩＤカード読み取り手段であることを特徴とする付記１に記載の拡張装置。
（付記４）  前記認証情報入力手段は、暗証番号入力手段であることを特徴とする付記１に記載の拡張装置。
（付記５）  前記生体情報は、指紋、網膜パターン、音声、筆跡又は顔の特徴であることを特徴とする付記２記載の拡張装置。
（付記６）  前記認証情報入力手段は、拡張ベイに取り付けられた状態で露出する側面に位置することを特徴とする付記1乃至４のいずれか１項に記載の拡張装置。
（付記７）  前記認証情報入力手段から入力された認証情報と登録されている認証情報と照合する認証機能を有することを特徴とする付記１乃至６のいずれか1項に記載の拡張装置。
（付記８）  情報処理装置の収容部に取り付けられる構造を有し、ハウジングと、認証情報を入力する入力部と前記入力部を覆うシャッターとを有する認証情報入力手段と、前記認証情報入力手段を前記ハウジング内部に収容された状態から認証情報が入力可能とされるように前記ハウジング外に出るように移動させる移動手段とを有する構成としたことを特徴とする拡張装置。
（付記９）  前記認証情報入力手段は、生体情報を入力する生体情報入力手段であることを特徴とする付記８記載の拡張装置。
（付記１０）  前記生体情報は、指紋、網膜パターン、音声、筆跡又は顔の特徴であることを特徴とする付記９記載の拡張装置。
（付記１１）  前記認証情報入力手段は、前記移動手段より取外し可能な構成である認証情報入力ユニットであることを特徴とする付記８記載の拡張装置。
（付記１２）  前記認証情報入力ユニットは、前記移動手段より取り外された状態でケーブルにより情報処理装置と接続される構成としたことを特徴とする付記１１記載の拡張装置。
（付記１３）  前記認証情報入力ユニットは、情報処理装置の左側に取付けられる拡張装置に取付けられる場合に使用される左側配置用コネクタと、情報処理装置の右側に取付けられる拡張装置に取付けられる場合に使用される右側配置用コネクタとを有する付記１１記載の拡張装置。
（付記１４）  前記認証情報入力ユニットは、情報処理装置の前側に取り付けられる拡張装置に取り付けられる場合に使用される前側配置用コネクタを有する付記１１に記載の拡張装置。
（付記１５）  前記認証情報入力手段は、先端にコネクタを有するケーブルが延びており、前記移動手段より取外し可能な構成である認証情報入力ユニットであり、
該認証情報入力ユニットは、該移動手段上に配されている場合には、前記ケーブルによって拡張装置のコネクタに接続可能であり、前記移動手段より取外した状態では、該ケーブルにより情報処理装置と接続可能であることを特徴とする付記１１記載の拡張装置。
（付記１６）  前記認証情報入力手段は、前記移動手段より取外し可能な認証情報入力ユニットであり、
前記移動手段を外に突き出るように動作させる操作手段を有し、
該操作手段は、前記移動手段を前記認証情報入力ユニットが前記情報処理装置の外に出て認証情報を入力可能状態とされる位置まで外に出させる動作と、前記移動手段を外に出させて前記認証情報入力ユニットの全体が前記情報処理装置の外に出る位置まで外に出させる動作とを行ないうる構成としたことを特徴とする付記１１記載の拡張装置。
（付記１７）  情報処理装置の収容部に取り付けられるための拡張装置であって前記拡張装置内部に収納された状態と前記拡張装置から外に出た状態の間を移動する移動手段を有する拡張装置に着脱可能に搭載可能な認証情報入力ユニットにおいて、
認証情報を入力するための認証情報入力手段を有し、
前記認証情報入力ユニットが前記移動手段に搭載された場合に、前記移動手段により前記前記認証情報入力手段を内部に収容された状態から認証情報が入力可能とされるように外に出るように移動可能であることを特徴とする認証情報入力ユニット。
（付記１８）  前記認証情報入力手段は、生体情報を入力する生体情報入力手段であることを特徴とする付記１７記載の認証情報入力ユニット。
（付記１９）  前記生体情報は、指紋、網膜パターン、音声、筆跡又は顔の特徴であることを特徴とする付記１８記載の認証情報入力ユニット。
（付記２０）  情報処理装置において、
筐体と、
認証情報を入力する入力部と前記入力部を覆うシャッターとを有する認証情報入力手段と、
前記筐体に設けられた、前記認証情報入力手段を収容する収容部と、
前記認証情報入力手段が前記収容部に収容された状態と、前記認証情報入力手段が前記収容部から外に出た状態の間において前記認証情報入力手段を移動させる移動手段とを有する情報処理装置。
（付記２１）  前記認証情報入力手段は、生体情報を入力する生体情報入力手段であることを特徴とする付記２０記載の情報処理装置。
（付記２２）  前記生体情報は、指紋、網膜パターン、音声、筆跡又は顔の特徴であることを特徴とする付記２１記載の情報処理装置。
（付記２３）  前記認証情報入力手段は、前記移動手段より取外し可能な構成である認証情報入力ユニットであることを特徴とする付記２０記載の情報処理装置。
（付記２４）  情報処理装置内部に収納された状態と前記情報処理装置から外に出た状態の間を移動する移動手段を有する情報処理装置に着脱可能に搭載可能な認証情報入力ユニットにおいて、
認証情報を入力するための認証情報入力手段を有し、
前記認証情報入力ユニットが前記移動手段に搭載された場合に、前記移動手段により前記認証情報入力手段を内部に収容された状態から認証情報が入力可能とされるように外に出るように移動可能であることを特徴とする認証情報入力ユニット。
（付記２５）  前記認証情報入力手段は、生体情報を入力する生体情報入力手段であることを特徴とする付記２４記載の認証情報入力ユニット。
（付記２６）  前記生体情報は、指紋、網膜パターン、音声、筆跡又は顔の特徴であることを特徴とする付記２５記載の認証情報入力ユニット。
（付記２７）  前記認証情報入力手段は、前記移動手段より取外し可能な構成である認証情報入力ユニットであることを特徴とする付記２４記載の認証情報入力ユニット。
（付記２８）    情報処理装置の拡張ベイに取り付けられる構造を有し、且つ、セキュリティ機能を有する構成としたことを特徴とする情報処理装置用のセキュリティ機能付き拡張装置。
（付記２９）    情報処理装置の拡張ベイに取り付けられる構造を有し、且つ、指紋読み取り機能を有する構成としたことを特徴とする情報処理装置用のセキュリティ機能付き拡張装置。
（付記３０）    情報処理装置の拡張ベイに取り付けられる構造を有し、
指紋読み取り機能を有する指紋読み取り手段と、
該指紋読み取り手段を内部に収容された状態から指紋読み取り可能とされるように外に突き出るように移動させる移動手段とを有する構成としたことを特徴とする情報処理装置用のセキュリティ機能付き拡張装置。
（付記３１）    該指紋読み取り手段は、前記移動手段より取外し可能な構成である指紋読み取りユニットであることを特徴とする付記３０記載の情報処理装置用のセキュリティ機能付き拡張装置。
（付記３２）    該指紋読み取りユニットは、前記移動手段より取り外された状態でケーブルにより情報処理装置と電気的に接続される構成としたことを特徴とする付記３１記載の情報処理装置用のセキュリティ機能付き拡張装置。
（付記３３）    該指紋読み取りユニットは、下面に、情報処理装置の左側に取付けられる拡張装置に取付けられる場合に使用される左側配置用コネクタと、
情報処理装置の右側に取付けられる拡張装置に取付けられる場合に使用される右側配置用コネクタとを有する付記３０記載の情報処理装置用のセキュリティ機能付き拡張装置。
（付記３４）    該指紋読み取り手段は、先端にコネクタを有するケーブルが延びており、前記移動手段より取外し可能な構成である指紋読み取りユニットであり、
該指紋読み取りユニットは、該移動手段上に配されている場合には、前記ケーブルによって拡張装置のコネクタに電気的に接続されており、該移動手段より取外した状態では、該ケーブルにより情報処理装置と接続される構成としたことを特徴とする付記３０記載の情報処理装置用のセキュリティ機能付き拡張装置。
（付記３５）    該指紋読み取り手段は、前記移動手段より取外し可能な構成である指紋読み取りユニットであり、
前記移動手段を外に突き出るように動作させる操作手段を有し、
該操作手段は、前記移動手段を該指紋読み取りユニットが該情報処理装置の外に出て指紋読み取り可能状態とされる位置まで外に突き出させる動作と、前記移動手段を外に突き出させて該指紋読み取りユニットの全体が該情報処理装置の外に出る位置まで外に突き出させる動作とを行ないうる構成としたことを特徴とする付記３０記載の情報処理装置用のセキュリティ機能付き拡張装置。
（付記３６）    情報処理装置の拡張ベイに取り付けられる構造を有し、且つ、指紋を読み取って、これを登録されている指紋と照合する指紋認証機能を有する構成としたことを特徴とする情報処理装置用のセキュリティ機能付き拡張装置。
（付記３７）    情報処理装置の拡張ベイに取り付けられる構造を有し、
指紋認証機能を有する指紋認証手段と、
該指紋認証手段を内部に収容された状態から指紋認証可能とされるように外に突き出るように移動させる移動手段とを有する構成としたことを特徴とする情報処理装置用のセキュリティ機能付き拡張装置。
（付記３８）    該指紋認証手段は、前記移動手段より取外し可能な構成である指紋認証ユニットであることを特徴とする付記３７記載の情報処理装置用のセキュリティ機能付き拡張装置。
（付記３９）    該指紋認証ユニットは、前記移動手段より取り外された状態でケーブルにより情報処理装置と電気的に接続される構成としたことを特徴とする付記３８記載の情報処理装置用のセキュリティ機能付き拡張装置。
（付記４０）    該指紋認証ユニットは、下面に、情報処理装置の左側に取付けられる拡張装置に取付けられる場合に使用される左側配置用コネクタと、情報処理装置の右側に取付けられる拡張装置に取付けられる場合に使用される右側配置用コネクタとを有する付記３７記載の情報処理装置用のセキュリティ機能付き拡張装置。
（付記４１）    該指紋認証ユニットは、下面に、情報処理装置の前側に取り付けられる拡張装置に取り付けられる場合に使用される前側配置用コネクタを有する付記３７記載の情報処理装置用のセキュリティ機能付拡張装置。
（付記４２）    該指紋認証手段は、先端にコネクタを有するケーブルが延びており、前記移動手段より取外し可能な構成である指紋認証ユニットであり、
該指紋認証ユニットは、該移動手段上に配されている場合には、前記ケーブルによって拡張装置のコネクタに電気的に接続されており、該移動手段より取外した状態では、該ケーブルにより情報処理装置と接続される構成としたことを特徴とする付記３７記載の情報処理装置用のセキュリティ機能付き拡張装置。
（付記４３）    該指紋認証手段は、前記移動手段より取外し可能な構成である指紋認証ユニットであり、
前記移動手段を外に突き出るように動作させる操作手段を有し、
該操作手段は、前記移動手段を該指紋認証ユニットが該情報処理装置の外に出て指紋認証可能状態とされる位置まで外に突き出させる動作と、前記移動手段を外に突き出させて該指紋認証ユニットの全体が該情報処理装置の外に出る位置まで外に突き出させる動作とを行ないうる構成としたことを特徴とする付記３７記載の情報処理装置用のセキュリティ機能付き拡張装置。
（付記４４）    略箱形状であり、コネクタを有し、且つ指紋読み取り機能を有する構成としたことを特徴とする指紋読み取りユニット。
（付記４５）    略箱形状であり、先端にコネクタを有するケーブルが延びており、且つ指紋読み取り機能を有する構成としたことを特徴とする指紋読み取りユニット。
（付記４６）    略箱形状であり、コネクタを有し、且つ指紋認証機能を有する構成としたことを特徴とする指紋認証ユニット。
（付記４７）    略箱形状であり、先端にコネクタを有するケーブルが延びており、且つ指紋認証機能を有する構成としたことを特徴とする指紋認証ユニット。
（付記４８）    情報処理装置の拡張ベイに取り付けられる構造を有し、且つ、指紋読み取り機能を有する構成としたことを特徴とする拡張装置。
（付記４９）    情報処理装置の拡張ベイに取り付けられる構造を有し、且つ、拡張ベイに取り付けられた状態で露出する側面に指紋読み取り機能を有する構成としたことを特徴とする拡張装置。
（付記５０）    情報処理装置の拡張ベイに取り付けられる構造を有し、且つ、ＩＤカード読み取り部を有する構成としたことを特徴とする拡張装置。
（付記５１）    情報処理装置の拡張ベイに取り付けられる構造を有し、且つ、拡張ベイに取り付けられた状態で露出する側面側に、ＩＤカード読み取り部を有する構成としたことを特徴とする拡張装置。
（付記５２）    情報処理装置の拡張ベイに取り付けられる構造を有し、且つ、暗証番号入力部を有する構成としたことを特徴とする拡張装置。
（付記５３）    情報処理装置の拡張ベイに取り付けられる構造を有し、且つ、拡張ベイに取り付けられた状態で露出する側面側に暗証番号入力部を有する構成としたことを特徴とする拡張装置。
【０２２７】
以上、本発明を実施例により説明したが、本発明は前記実施例に限定されるものではなく、本発明の範囲内で種種の変形及び改良が可能であることは、言うまでもない。
【発明の効果】
【０２２８】
以上説明したように、請求項１の発明は、拡張装置であって、情報処理装置の収容部に取り付けられる構造を有し、ハウジングと、認証情報を入力する入力部と前記入力部を覆うシャッターとを有する認証情報入力手段と、前記認証情報入力手段を前記ハウジング内部に収容された状態から認証情報が入力可能とされるように前記ハウジング外に出るように移動させる移動手段とを有するものであるため、拡張装置が、情報処理装置の収容部（一例として、拡張ベイ）に取り付けられることによって、情報処理装置と一体的に持ち運ばれ、携帯性が良い。また、使用時には、移動手段によって認証情報入力手段が外に突き出て認証情報入力可能状態とされるため、入力状態を簡単に形作ることが出来、使い勝手が良い。また、認証情報入力手段を使用しない場合は、認証情報入力手段を内部に収容された状態にできるので、情報処理装置の持ち運び時などは、認証情報入力装置を内部に収容して持ち運べるので、持ち運びが容易となる。従って、情報処理装置が、携帯型である場合はより効果的である。又、情報処理装置の収容部（一例として、拡張ベイ）が、着脱可能に複数種類の拡張装置を選択的に取り付けられる場合は、認証情報入力手段を択一的に取り付けることが可能となり、情報処理装置の小型化と拡張性を満たすことができる。また、入力部は通常はシャッターでもって覆われているため、入力部を保護できる。また、シャッターを開かない限りは認証情報を入力することができないため、誤操作も防止出来る。
【０２２９】
請求項２の発明は、請求項１の発明において、前記認証情報入力手段が、生体情報を入力する生体情報入力手段であることを特徴とするものであり、指紋、音声（声紋）、網膜パターン、筆跡、顔の画像等の生体情報は、使用者個人に特有のものであり、磁気カード等のＩＤカードや暗証番号等により個人認証を行う場合に比して、第三者が認証情報の盗難や模倣を行うのは極めて困難であり、セキリティを高めることができる。
【０２３０】
請求項３の発明は、請求項２の発明において、前記生体情報が、指紋の特徴であることを特徴とするものであり、指紋は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【０２３１】
請求項４の発明は、請求項１乃至３のいずれか１項に記載の発明において、前記認証情報入力手段は、上記移動手段より取外し可能な構成である認証情報入力ユニットであることを特徴とするものであり、前記認証情報入力手段は、移動手段より取り外しても使用可能とすることができる。
【０２３２】
請求項５の発明は、請求項４に記載の発明において、認証情報入力ユニットは、上記移動手段より取り外された状態でケーブルにより情報処理装置と接続される構成としたことを特徴とするものであり、ケーブルは、情報処理装置と認証情報入力ユニットを電気的、電子的又は光学的等で、データの送信が可能な態様で接続され、認証情報入力ユニットは移動手段より取外した状態でケーブルでつないで使用可能であるため、情報処理装置を自分の机等の上で使用する場合に、使用を開始する都度いちいち認証情報入力手段を情報処理装置より突き出させる操作を行なう必要がなく、使い勝手が良い。
【０２３３】
請求項６の発明は、請求項４又は請求項５に記載の発明において、前記認証情報入力ユニットが、情報処理装置の左側に取付けられる拡張装置に取付けられる場合に使用される左側配置用コネクタと、情報処理装置の右側に取付けられる拡張装置に取付けられる場合に使用される右側配置用コネクタとを有する構成であるため、将来に情報処理装置の右側に取付けられる拡張装置が出現した場合にも、認証情報入力ユニットは適用可能である。
【０２３４】
請求項７の発明は、請求項４乃至請求項６のいずれか１項に記載の発明において、情報処理装置の前側に取り付けられる拡張装置に取り付けられる場合に使用される前側配置用コネクタを有する構成であるため、情報処理装置の前側に取り付けられる拡張装置にも、認証情報入力ユニットは、使用可能である。
【０２３５】
請求項８の発明は、請求項４乃至請求項７のいずれか１項に記載の発明において、認証情報入力手段が、先端にコネクタを有するケーブルが延びており、上記移動手段より取外し可能な構成である認証情報入力ユニットであり、該認証情報入力ユニットは、該移動手段上に配されている場合には、上記ケーブルによって拡張装置のコネクタに接続可能であり、前記移動手段より取外した状態では、該ケーブルにより情報処理装置と接続可能である構成であるため、認証情報入力ユニットは移動手段より取外した状態でケーブルでつないで使用可能であるため、情報処理装置を自分の机等の上で使用する場合に、使用を開始する都度いちいち認証情報入力ユニットを突き出させる操作を行なう必要がなく、使い勝手が良い。又、認証情報入力ユニットよりケーブルが延びているため、備品としてのケーブルを保管しておくことが不要となり、便利である。
【０２３６】
請求項９の発明は、請求項４乃至請求項８のいずれか１項に記載の発明において、前記認証情報入力手段は、上記移動手段より取外し可能な認証情報入力ユニットであり、前記移動手段を外に突き出るように動作させる操作手段を有し、該操作手段は、前記移動手段を前記認証情報入力ユニットが前記情報処理装置の外に出て認証情報を入力可能状態とされる位置まで外に出させる動作と、前記移動手段を外に出させて前記認証情報入力ユニットの全体が前記情報処理装置の外に出る位置まで外に出させる動作とを行ないうるものであるため、操作手段を操作することによって、認証情報入力ユニットの全体が情報処理装置の外に出た状態とされ、よって、認証情報入力ユニットを移動手段より取り外す作業を簡単に行なうことが出来る。
【０２３７】
請求項１０の発明は、情報処理装置において、筐体と、認証情報を入力する入力部と前記入力部を覆うシャッターとを有する認証情報入力手段と、前記筐体に設けられた、前記認証情報入力手段を収容する収容部と、前記認証情報入力手段が前記収容部に収容された状態と、前記認証情報入力手段が前記収容部から外に出た状態の間において前記認証情報入力手段を移動させる移動手段とを有する構成としたものであるため、移動手段により、情報処理装置の収容部に認証情報入力手段を収容でき、従って、情報処理装置の持ち運び時などは、認証情報入力装置を内部に収容して持ち運べるので、持ち運びが容易となる。また、入力部は通常はシャッターでもって覆われているため、入力部を保護できる。また、シャッターを開かない限りは認証情報を入力することができないため、誤操作も防止出来る。
【０２３８】
請求項１１の発明は、請求項１０の発明において、前記認証情報入力手段が、生体情報を入力する生体情報入力手段である構成としたものであり、指紋、音声（声紋）、網膜パターン、筆跡、顔の画像等の生体情報は、使用者個人に特有のものであり、磁気カード等のＩＤカードや暗証番号等により個人認証を行う場合に比して、認証情報の盗難や模倣を行うのは極めて困難であり、セキリティを高めることができる。
【０２３９】
請求項１２の発明は、請求項１１の発明において、前記生体情報が、指紋の特徴であることを特徴とするものであり、指紋は、使用者に固有であり、盗難、漏洩が困難で、第三者による模倣が極めて難しいので、セキリティを高めることができる。又、これらの情報を情報処理装置に入力するに際しては、ユーザはカードのような特別なものを有する必要はなく、又、暗証番号などを記憶する必要もないので、ユーザにとっては、簡易に入力することができる。
【０２４０】
請求項１３の発明は、請求項１０乃至１２のいずれか１項に記載の発明において、前記認証情報入力手段は、上記移動手段より取外し可能な構成である認証情報入力ユニットであることを特徴とする。前記認証情報入力手段は、移動手段より取り外しても使用可能とすることができる。
【図面の簡単な説明】
【図１】
従来例を示す図である。
【図２】
本発明の各実施例の拡張装置をノート型パーソナルコンピュータと対応させて示す図である。
【図３】
本発明の第１実施例の拡張指紋読み取り装置をノート型パーソナルコンピュータの拡張ベイと対応させて示す図である。
【図４】
図３中の拡張指紋読み取り装置を分解して示す斜視図である。
【図５】
図３中の拡張指紋読み取り装置をカバーを取り外した状態で示す平面図である。
【図６】
図４中の指紋読み取りユニットを異なる方向からみて示す斜視図である。
【図７】
図６の指紋読み取りユニットを示す図である。
【図８】
指紋読み取りユニットとノート型パーソナルコンピュータとの関係を示すブロック図である。
【図９】
指紋読み取りユニットの一部がノート型パーソナルコンピュータより突き出て指紋読み取り可能となった状態を示す斜視図である。
【図１０】
図９の状態を示す平面図である。
【図１１】
指紋読み取りユニットの全部がノート型パーソナルコンピュータより突き出て取外し可能となった状態を示す平面図である。
【図１２】
指紋読み取りユニットをノート型パーソナルコンピュータとケーブルによって接続して使用している状態を示す図である。
【図１３】
本発明の第２実施例の拡張指紋読み取り装置をノート型パーソナルコンピュータの拡張ベイと対応させて示す図である。
【図１４】
図１３中の指紋読み取りユニットとノート型パーソナルコンピュータとの関係を示すブロック図である。
【図１５】
本発明の第３実施例の拡張指紋認証装置をノート型パーソナルコンピュータの拡張ベイと対応させて示す図である。
【図１６】
図１５中の指紋認証ユニットとノート型パーソナルコンピュータとの関係を示すブロック図である。
【図１７】
本発明の第４実施例の拡張指紋読み取り装置をノート型パーソナルコンピュータの拡張ベイと対応させて示す図である。
【図１８】
図１７中の拡張指紋読み取り装置を分解して示す斜視図である。
【図１９】
図１８中の指紋読み取りユニットの斜視図である。
【図２０】
指紋読み取りユニットの一部がノート型パーソナルコンピュータより突き出て指紋読み取り可能となった状態を示す斜視図である。
【図２１】
指紋読み取りユニットをノート型パーソナルコンピュータとケーブルによって接続して使用している状態を示す図である。
【図２２】
本発明の第５実施例の拡張指紋読み取り装置をノート型パーソナルコンピュータの拡張ベイと対応させて示す図である。
【図２３】
本発明の第６実施例の拡張ＩＣカード読み取り装置をノート型パーソナルコンピュータの拡張ベイと対応させて示す図である。
【図２４】
拡張ＩＣカード読み取り装置とノート型パーソナルコンピュータとの関係を示すブロック図である。
【図２５】
本発明の第７実施例の拡張磁気カード読み取り装置をノート型パーソナルコンピュータの拡張ベイと対応させて示す図である。
【図２６】
拡張磁気カード読み取り装置とノート型パーソナルコンピュータとの関係を示すブロック図である。
【図２７】
本発明の第８実施例の拡張暗証番号入力装置をノート型パーソナルコンピュータの拡張ベイと対応させて示す図である。
【図２８】
拡張暗証番号入力装置とノート型パーソナルコンピュータとの関係を示すブロック図である。
【図２９】
本発明の第９実施例の指紋読み取り部が情報処理装置本体（筐体）内に収納された状態を示す図である。
【図３０】
本発明の第９実施例の指紋読み取り部が情報処理装置本体（筐体）内から外に出た状態を示し図である。
【図３１】
図２９、３０の指紋読み取り部と情報処理装置との関係を示すブロック図である。
【図３２】
本発明の他の実施例の拡張装置をノート型パーソナルコンピュータと対応させて示す図である。
【図３３】
拡張指紋読み取り装置を分解して示す斜視図である。
【図３４】
図３３中の指紋読み取りユニットを異なる方向から見て示す斜視図である。
【符号の説明】
２０  ノート型パーソナルコンピュータ
２１  コンピュータ本体
２４  拡張ベイ
５０  拡張指紋読み取り装置
５２  ハウジング
５２−１  操作ボタン機構
５３  トレイ
５４  指紋読み取りユニット
５４−５，８３  静電容量式指紋センサ
５４−６  左側配置用コネクタ
５４−７  右側配置用コネクタ
５４−８  ケーブル接続用コネクタ
５０Ｂ  拡張指紋認識装置
５４Ｂ  指紋認識ユニット
７０  ＵＳＢコネクタ
９０  拡張ＩＣカード読み取り装置
１００  拡張磁気カード読み取り装置
１１０  拡張暗証番号入力装置